(57)【特許請求の範囲】
【請求項１】
観察対象人物をモニタしたモニタ情報を取得するモニタ情報取得手段と、
このモニタ情報取得手段により取得された観察対象人物のモニタ情報に対応する行動情報を出力する行動情報出力手段と、
この行動情報出力手段により出力された行動情報に対応する画像を出力する対応画像出力手段とを備え、
前記行動情報出力手段は、前記観察対象人物の予定情報とこれに対応する行動情報とを対応づけて複数組記憶する予定行動情報記憶手段を有し、前記モニタ情報取得手段により取得された観察対象人物のモニタ情報が所定のモニタ情報である場合には、前記観察対象人物の予定情報に対応する行動情報を前記予定行動情報記憶手段から読み出して出力することを特徴とする画像出力装置。
【請求項２】
前記モニタ情報取得手段は、他の通信機器から観察対象人物をモニタしたモニタ情報を受信するモニタ情報受信手段を備えたことを特徴とする請求項１に記載の画像出力装置。
【請求項３】
前記対応画像出力手段は、前記行動情報出力手段により出力された行動情報に対応する画像を、ネット接続された端末に送信する画像送信手段を備えたことを特徴とする請求項１または請求項２に記載の画像出力装置。
【請求項４】
前記画像送信手段による画像の送信に応じた課金を行う課金手段を備えたことを特徴とする請求項３に記載の画像出力装置。
【請求項５】
前記対応画像出力手段は、前記行動情報出力手段により出力された行動情報に対応する画像を表示する表示手段を備えたことを特徴とする請求項１乃至請求項４の何れか１項に記載の画像出力装置。
【請求項６】
前記対応画像出力手段により出力する画像に対して広告を付加する広告付加手段を備えたことを特徴とする請求項１乃至請求項５の何れか１項に記載の画像出力装置。
【請求項７】
観察対象人物をモニタしたモニタ情報を取得するモニタ情報取得手段と、
このモニタ情報取得手段により取得された観察対象人物のモニタ情報に対応する行動情報を出力する行動情報出力手段と、
この行動情報出力手段により出力される行動情報の正答率を設定する正答率設定手段と、
前記正答率設定手段により設定された正答率に応じた正確さで、前記行動情報出力手段により出力された行動情報に対応する画像を出力する対応画像出力手段と、
を備えたことを特徴とする画像出力装置。
【請求項８】
観察対象人物をモニタしたモニタ情報を取得するモニタ情報取得手段と、
このモニタ情報取得手段による観察対象人物のモニタ情報の取得を停止する停止率を設定する停止率設定手段と、
前記モニタ情報取得手段により取得された観察対象人物のモニタ情報に対応する行動情報を出力する行動情報出力手段と、
この行動情報出力手段により出力された行動情報に対応する画像を出力する対応画像出力手段とを備え、
前記モニタ情報取得手段は、前記停止率設定手段により設定された停止率に応じて、前記観察対象人物のモニタ情報の取得を停止することを特徴とする画像出力装置。
【請求項９】
観察対象人物をモニタしたモニタ情報を取得するモニタ情報取得手段と、
このモニタ情報取得手段により取得された観察対象人物のモニタ情報に対応する行動情報を出力する行動情報出力手段と、
この行動情報出力手段により出力された行動情報に対応する画像を出力する対応画像出力手段とを備え、
前記モニタ情報取得手段は、少なくとも観察対象人物が当該画像出力装置の電源をＯＮにする行動を含む該観察対象人物の行動をモニタしたモニタ情報を取得し、
前記対応画像出力手段は、前記行動情報出力手段により出力された行動情報に対応する画像を、ネット接続された端末に送信する画像送信手段を有し、
前記モニタ情報取得手段により当該画像出力装置の電源をＯＮにする観察対象人物の行動がモニタされたモニタ情報が取得された場合には、前記画像送信手段による画像の送信先である他の通信端末の電源をＯＮさせる連動制御手段をさらに備えたことを特徴とする画像出力装置。
【請求項１０】
前記モニタ情報は、前記観察対象人物について撮影された撮影画像に応じて選択されたモニタ情報であることを特徴とする請求項１乃至請求項９の何れか１項に記載の画像出力装置。
【請求項１１】
前記モニタ情報は、前記観察対象人物について撮影された複数の撮影画像から、当該撮影画像の変化部分として抽出された観察対象人物の画像をモニタしたモニタ情報であることを特徴とする請求項１乃至請求項９の何れか１項に記載の画像出力装置。
【請求項１２】
コンピュータを制御するための画像出力処理プログラムであって、
前記コンピュータを、
観察対象人物をモニタしたモニタ情報を取得するモニタ情報取得手段、
このモニタ情報取得手段により取得された観察対象人物のモニタ情報に対応する行動情報を出力する行動情報出力手段、
この行動情報出力手段により出力された行動情報に対応する画像を出力する対応画像出力手段として機能させ、
前記行動情報出力手段は、前記コンピュータを、前記モニタ情報取得手段により取得された観察対象人物のモニタ情報が所定のモニタ情報である場合には、前記観察対象人物の予定情報とこれに対応する行動情報とを対応づけて複数組記憶している予定行動情報記憶手段から当該観察対象人物の予定情報に対応する行動情報を読み出して出力するように機能させることを特徴とするコンピュータ読み込み可能な画像出力処理プログラム。
【請求項１３】
画像出力装置のコンピュータによる画像出力方法であって、
前記コンピュータにより、
観察対象人物をモニタしたモニタ情報を取得するモニタ情報取得ステップ、
このモニタ情報取得ステップにて取得された観察対象人物のモニタ情報に対応する行動情報を出力する行動情報出力ステップ、
この行動情報出力ステップにて出力された行動情報に対応する画像を出力する対応画像出力ステップとからなり、
前記行動情報出力ステップでは、前記モニタ情報取得ステップにて取得された観察対象人物のモニタ情報が所定のモニタ情報である場合に、前記観察対象人物の予定情報とこれに対応する行動情報とを対応づけて複数組記憶している予定行動情報記憶手段から当該観察対象人物の予定情報に対応する行動情報を読み出して出力することを特徴とする画像出力方法。
【請求項１４】
コンピュータを制御するための画像出力処理プログラムであって、
前記コンピュータを、
観察対象人物をモニタしたモニタ情報を取得するモニタ情報取得手段、
このモニタ情報取得手段により取得された観察対象人物のモニタ情報に対応する行動情報を出力する行動情報出力手段、
この行動情報出力手段により出力される行動情報の正答率を設定する正答率設定手段、
前記正答率設定手段により設定された正答率に応じた正確さで、前記行動情報出力手段により出力された行動情報に対応する画像を出力する対応画像出力手段、
として機能させるようにしたコンピュータ読み込み可能な画像出力処理プログラム。
【請求項１５】
コンピュータを制御するための画像出力処理プログラムであって、
前記コンピュータを、
観察対象人物をモニタしたモニタ情報を取得するモニタ情報取得手段、
このモニタ情報取得手段による観察対象人物のモニタ情報の取得を停止する停止率を設定する停止率設定手段、
前記モニタ情報取得手段により取得された観察対象人物のモニタ情報に対応する行動情報を出力する行動情報出力手段、
この行動情報出力手段により出力された行動情報に対応する画像を出力する対応画像出力手段として機能させ、
前記モニタ情報取得手段は、前記コンピュータを、前記停止率設定手段により設定された停止率に応じて、前記観察対象人物のモニタ情報の取得を停止するように機能させることを特徴とするコンピュータ読み込み可能な画像出力処理プログラム。
【請求項１６】
画像出力装置のコンピュータを制御するための画像出力処理プログラムであって、
前記コンピュータを、
観察対象人物をモニタしたモニタ情報を取得するモニタ情報取得手段、
このモニタ情報取得手段により取得された観察対象人物のモニタ情報に対応する行動情報を出力する行動情報出力手段、
この行動情報出力手段により出力された行動情報に対応する画像を出力する対応画像出力手段として機能させ、
前記モニタ情報取得手段は、前記コンピュータを、少なくとも観察対象人物が当該画像出力装置の電源をＯＮにする行動を含む該観察対象人物の行動をモニタしたモニタ情報を取得するように機能させ、
前記対応画像出力手段は、前記行動情報出力手段により出力された行動情報に対応する画像を、ネット接続された端末に送信する画像送信手段を有し、
前記モニタ情報取得手段により当該画像出力装置の電源をＯＮにする観察対象人物の行動がモニタされたモニタ情報が取得された場合には、前記画像送信手段による画像の送信先である他の通信端末の電源をＯＮさせる連動制御手段としてさらに機能させるようにしたコンピュータ読み込み可能な画像出力処理プログラム。
【請求項１７】
画像出力装置のコンピュータによる画像出力方法であって、
前記コンピュータにより、
観察対象人物をモニタしたモニタ情報を取得するモニタ情報取得ステップと、
このモニタ情報取得ステップにて取得された観察対象人物のモニタ情報に対応する行動情報を出力する行動情報出力ステップと、
この行動情報出力ステップにて出力される行動情報の正答率を設定する正答率設定ステップと、
前記正答率設定ステップにて設定された正答率に応じた正確さで、前記行動情報出力ステップにて出力された行動情報に対応する画像を出力する対応画像出力ステップと、
からなることを特徴とする画像出力方法。
【請求項１８】
画像出力装置のコンピュータによる画像出力方法であって、
前記コンピュータにより、
観察対象人物をモニタしたモニタ情報を取得するモニタ情報取得ステップと、
このモニタ情報取得ステップでの観察対象人物のモニタ情報の取得をユーザ操作に応じて停止する停止率を設定する停止率設定ステップと、
前記モニタ情報取得ステップにて取得された観察対象人物のモニタ情報に対応する行動情報を出力する行動情報出力ステップと、
この行動情報出力ステップにて出力された行動情報に対応する画像を出力する対応画像出力ステップとからなり、
前記モニタ情報取得ステップでは、前記停止率設定ステップにて設定された停止率に応じて、前記観察対象人物のモニタ情報の取得を停止することを特徴とする画像出力方法。
【請求項１９】
画像出力装置のコンピュータによる画像出力方法であって、
前記コンピュータにより、
観察対象人物をモニタしたモニタ情報を取得するモニタ情報取得ステップと、
このモニタ情報取得ステップにて取得された観察対象人物のモニタ情報に対応する行動情報を出力する行動情報出力ステップと、
この行動情報出力ステップにて出力された行動情報に対応する画像を出力する対応画像出力ステップとからなり、
前記モニタ情報取得ステップでは、少なくとも観察対象人物が当該画像出力装置の電源をＯＮにする行動を含む該観察対象人物の行動をモニタしたモニタ情報を取得し、
前記対応画像出力ステップは、前記行動情報出力ステップにて出力された行動情報に対応する画像を、ネット接続された端末に送信する画像送信ステップを有し、
前記モニタ情報取得ステップにて当該画像出力装置の電源をＯＮにする観察対象人物の行動がモニタされたモニタ情報が取得された場合には、前記画像送信ステップによる画像の送信先である他の通信端末の電源をＯＮさせる連動制御ステップをさらに備えたことを特徴とする画像出力方法。
【発明の詳細な説明】
【０００１】
【発明の属する技術分野】
本発明は、例えば人物等の現在状況を把握して画像として出力するための画像出力装置、画像出力処理プログラム、画像出力方法に関する。
【０００２】
【従来の技術】
従来、ある場所における人物等の現在状況を把握して他の場所でモニタするシステムとしては、まずカメラによるモニタ監視システムが広く利用されている。
【０００３】
このモニタ監視システムは、例えば警備会社により実施され、監視対象となる特定の場所に設置されたカメラによりその場所を常時撮影し、警備室や監視室などの他の場所に設置されたモニタにより撮影画像を表示させてそこに写し出される人物の状況を監視するもので、このモニタ監視システムでは、監視対象となる人物がそのまま撮影されて表示される。
【０００４】
また、病院において前記同様のモニタ監視システムを導入することにより、各病室における患者の状況を常時撮影してナースステーションなどでモニタ表示し、病室巡回の手間を減らすのと共に患者の異常に迅速に対応できるようにした患者モニタシステムも実用化されている。
【０００５】
さらに近年、携帯電話を利用した情報サービスの一つとして、保育園の教室に設置されたカメラによる子供の撮影画像を、電話利用者からの要求により中継して配信する画像配信サービスも実用化されている。
【０００６】
しかしながら、このような従来のモニタ監視（観察）システムでは、カメラにより撮影された監視（観察）対象となる人物画像を、そのままリアルにモニタ表示させるものであるため、観察される側としてはカメラにより常に監視されているという圧迫感があり、プライバシ上の問題も含めてこのようなシステムを導入することが不適切とされる場合も多い。
【０００７】
そこで、例えば一人暮らし老人世帯の電気ポットの使用状況をモニタしてその生活状況を把握できるようにしたサービスや、子供に持たせたＰＨＳ(personal handy phone system)を利用して親元などに現在位置を知らせるようにしたサービスなど、直接撮影によるモニタ表示でない監視（観察）システムも考えられている。
【０００８】
【発明が解決しようとする課題】
しかしながら、一方で電気ポットなどの特定機器の使用状況検知による生活状況の把握や位置検知システムによる現在位置の把握のみでは、観察対象としての人物の今ある状況を把握する上であまりにも不十分である。
【０００９】
例えば子供が自室で何をしているかを親が把握したい場合、あるいは在宅勤務制度の導入に当たり在宅社員の状況を会社側で把握したい場合、あるいはシルバーマンションなどの集合住宅において各住人がどのような状況にあるのかを管理人や隣近所で把握したい場合など、観察する側にとっては前記カメラによる直接モニタなどによりリアルな状況が把握できることが望ましいが、観察される側にとってはできるだけ干渉されたくないため、そこに観察する側とされる側とのミスマッチが生じ、容易にシステム化には至っていない問題がある。
【００１０】
本発明は、前記のような問題に鑑みてなされたもので、観察される側にとってプレッシャーになることになく、対象人物の状況を必要十分に把握することが可能になる画像出力装置、画像出力処理プログラム、及び画像出力方法を提供することを目的とする。
【００１１】
【課題を解決するための手段】
すなわち、本発明に係る画像出力装置は、観察対象人物をモニタしたモニタ情報を取得するモニタ情報取得手段と、このモニタ情報取得手段により取得された観察対象人物のモニタ情報に対応する行動情報を出力する行動情報出力手段と、この行動情報出力手段により出力された行動情報に対応する画像を出力する対応画像出力手段とを備え、前記行動情報出力手段は、前記観察対象人物の予定情報とこれに対応する行動情報とを対応づけて複数組記憶する予定行動情報記憶手段を有し、前記モニタ情報取得手段により取得された観察対象人物のモニタ情報が所定のモニタ情報である場合には、前記観察対象人物の予定情報に対応する行動情報を前記予定行動情報記憶手段から読み出して出力することを特徴とする。
【００１２】
このような、本発明に係る画像出力装置では、観察対象人物をモニタしたモニタ情報が取得されると、観察対象人物のモニタ情報に対応する行動情報が出力され、この出力された行動情報に対応する画像が出力されるので、観察対象人物のそのものの行動画像ではない模倣画像等が観察する側に出力されることになる。しかも観察対象人物のモニタ情報が所定のモニタ情報（例えば一定時間本人が見えない）である場合には、前記観察対象人物の予定情報とこれに対応する行動情報とを対応づけて複数組記憶している予定行動情報記憶手段から当該観察対象人物の予定情報（例えば出張）に対応する行動情報（例えば不在）が読み出されて出力され、対応する画像が出力される。
【００１３】
【発明の実施の形態】
以下、図面を参照して本発明の実施の形態について説明する。
【００１４】
図１は、本発明の画像出力装置の実施形態に係る画像配信システムの全体の構成を示すブロック図である。
【００１５】
この画像配信システムは、インターネットなどの通信ネットワークＮに接続された画像配信サーバ１０を備えている。
【００１６】
この画像配信サーバ１０は、前記通信ネットワークＮに接続されたカメラ付き自宅ＰＣ(personal computer)であるモニタ端末２０によりモニタされた自宅Ｈ内における観察対象人物Ｐのモニタ情報を取得し、モニタ情報に応じた行動情報に対応した物真似アニメ画像を配信出力する物真似画像出力装置であり、この物真似アニメ画像の配信依頼者（利用者）とその観察対象人物Ｐが、例えば親と子の関係である場合には、子供（Ｐ）の自室（Ｈ）に設置されたモニタ端末２０によりモニタされた該子供（Ｐ）のモニタ情報に応じた物真似アニメ画像が画像配信サーバ１０により選択されて親の表示端末（携帯電話）３０へ配信されて表示される。
【００１７】
また、例えば在宅勤務制度のある会社と在宅社員との関係である場合には、在宅社員（Ｐ）の自室（Ｈ）に設置されたモニタ端末２０によりモニタされた該社員（Ｐ）の行動に応じた物真似アニメ画像が選択されて会社の本人デスク上に設置された表示端末（会社ＰＣ）４０へ配信表示される。
【００１８】
この場合、例えば、在宅社員（Ｐ）は生のモニタ情報を画像配信サーバ１０に送ることを好まない場合もある。それに対応して、モニタ端末２０がモニタされた該社員（Ｐ）のモニタ情報から対応する行動情報を選択出力して、画像配信サーバ１０では、生のモニタ情報でなく行動情報を受信して、対応した物真似アニメ画像を配信出力するようにしても良い。なお、モニタ端末２０自身でも、アニメ画像を表示するようにすれば、会社の表示端末（会社ＰＣ）４０で表示される最終的なアニメ画像を自宅でも確認でき、在宅社員（Ｐ）の観察されることに対するプレッシャは、さらに小さくなる。この場合、自宅のモニタ端末２０が、観察対象をモニタし、モニタ情報に対する行動情報を出力し、その行動情報に対応するまね画像を表示出力するまね画像出力装置として機能する。
【００１９】
さらに、前記画像配信サーバ１０は、前記通信ネットワークＮに接続されたマンションＭ内各住居１０１，１０２，…，３０３にあるモニタ端末兼表示端末（自宅ＰＣ）５０ａ，５０ｂ，…，５０ｉによりモニタされた各住居内における観察対象人物Ｐ101-Ｐ303のそれぞれの行動に応じた物真似アニメ画像を管理人室Ｋの表示端末（自宅ＰＣ）６０へ配信するもので、この際、各住居における観察対象人物Ｐ101-Ｐ303同士で自分の行動観察を許可している相手に対しては、その物真似アニメ画像は許可相手であるモニタ端末兼表示端末（自宅ＰＣ）５０ａ，５０ｂ，…，５０ｉへも配信されて表示される。
【００２０】
この場合、マンションの各端末（管理人室の表示端末６０、各住居内のモニタ端末兼表示端末（自宅ＰＣ）５０ａ〜５０ｉ）をネットワークで直結して、モニタ端末兼表示端末でモニタされたモニタ情報を表示端末やモニタ端末兼表示端末に送り表示させる側で、取得したモニタ情報から対応する行動情報を選択出力して対応する画像を表示出力させるようにしても良い。この場合は、表示端末側（表示端末・モニタ端末兼表示端末）が、物真似画像出力装置として機能する。
【００２１】
ここで、前記観察対象人物Ｐの行動に応じた物真似アニメ画像とは、例えば動物やロボットや人のキャラクタを各部屋の背景画像と組み合わせ、それが例えば勉強する画像であったり、忙しそうな画像であったり、休憩中の画像であったり、暇そうな画像であったり、不在の画像であったりするもので、この場合、物真似アニメ画像は、観察対象人物Ｐの行動そのものではなく、あくまでモニタ端末２０（５０ａ〜５０ｉ）でモニタされた情報に応じて、幾つかの設定行動情報の中から選択作成された「真似」のアニメ画像であるため、当該観察対象人物Ｐにおいてその観察がプレッシャーになる度合いは大幅に緩和される。
【００２２】
また、この画像配信システムを構成する通信ネットワークＮには、前記画像配信サーバ１０からの指令により、物真似アニメ画像の配信依頼者（利用者）それぞれの銀行口座に対する課金を実施する利用者銀行サーバ７０、及び各表示端末３０，４０，５０，６０へ配信する物真似アニメ画像に広告を掲載した場合にその広告主それぞれの銀行口座に対する課金を実施する広告主銀行サーバ８０が接続される。
【００２３】
そして、この各銀行サーバ７０，８０における配信依頼者（利用者）や広告主への課金処理により、この画像配信サービスの収益を上げ、事業の成立を図る。
【００２４】
次に、前記画像配信システムにより各配信依頼者（利用者）の表示端末３０，４０，５０，６０へ配信される物真似アニメ画像の幾つかの例について説明する。
【００２５】
図２（Ａ）〜（Ｃ）は前記画像配信システムにおいて配信依頼者（利用者）とその観察対象人物Ｐが例えば親と子の関係である場合の各物真似アニメ画像（その１）を示す図である。図２（Ｄ）は、観察対象である子供の自室に設置されたモニタ端末（自宅ＰＣ）２０によってモニタされたモニタ情報であるカメラ画像を示す図である。
【００２６】
図３は前記画像配信システムにおいて配信依頼者（利用者）とその観察対象人物Ｐが例えば親と子の関係である場合の各物真似アニメ画像（その２）を示す図である。
【００２７】
観察対象人物Ｐである子供の自室（Ｈ）に設置されたモニタ端末（自宅ＰＣ）２０によるカメラ画像（図２（Ｄ））がモニタ情報として画像配信サーバ１０に送信される。画像配信サーバ１０は、モニタ端末２０からのモニタ情報を受信して取得する。画像配信サーバ１０はモニタ情報であるカメラ画像（図２（Ｄ））の解析により、モニタされた情報に応じて「移動」の行動情報を選択し、その行動情報に応じた「移動」のアニメ画像Ｇ１を読み出し、当該子供（Ｐ）により予め選択設定された自室（Ｈ）の背景画像（Ｈ′）と動物キャラクタとの組み合わせ画像において、図２（Ａ）に示すように、その動物キャラクタが自室内で動き回っている様子の「移動」の物真似アニメ画像Ｇ１が選択され、その物真似アニメ画像Ｇ１に対し広告「チケットペア」が付加され、配信依頼者（利用者）である親の表示端末（携帯電話）３０に配信されて表示される。
【００２８】
また、同様に、画像配信サーバ１０が、モニタ端末２０から子供が自室内で止まっているカメラ画像をモニタ情報としてモニタ受信して取得すると、モニタされた情報に応じて「休憩/遊び」の行動情報を選択し、その行動情報に応じた「休憩/遊び」のアニメ画像Ｇ２を読み出し、図２（Ｂ）に示すように、動物キャラクタが自室内で止まって遊んでいる様子の「休憩/遊び」のアニメ画像Ｇ２が選択され、その物真似アニメ画像Ｇ２に対し前記同様に広告が付加され、配信依頼者（利用者）である親の表示端末（携帯電話）３０に配信されて表示される。
【００２９】
また、同様に、子供が自室内の机に向かっている行動のカメラ画像がモニタ端末２０からモニタ情報として取得されると、画像配信サーバ１０では、モニタされた情報に応じて「本を読んでいる」行動情報を選択し、その行動情報に応じた「本を読んでいる」のアニメ画像Ｇ３を読み出し、図２（Ｃ）に示すように、動物キャラクタが自室内の机に向かって腰掛けて「本を読んでいる」様子のアニメ画像Ｇ３が選択され、その物真似アニメ画像Ｇ３に対し前記同様に広告が付加され、配信依頼者（利用者）である親の表示端末（携帯電話）３０に配信されて表示される。
【００３０】
このモニタ端末２０から画像配信サーバ１０を経由して表示端末（携帯電話）３０へ配信される物真似アニメ画像Ｇｎは、同時にモニタ端末２０における表示画面にもサブウインドウとして表示され、観察対象人物Ｐである子供自身が配信依頼者（利用者）である親の表示端末（携帯電話）３０へ配信されて表示される物真似アニメ画像Ｇｎを見て確認することができる。すなわち、モニタ端末２０も物真似アニメ画像を表示出力する物真似画像出力装置としての機能を有している。
【００３１】
なお、この画像配信システムにおけるモニタ端末（自宅ＰＣ）２０での初期設定に際しては、観察対象人物Ｐ自身によって、前記自室背景画像と動物キャラクタとの組み合わせ画像の選択設定と共に、当該モニタ端末２０による観察対象人物Ｐのモニタの正確さ（正答率：５０％〜１００％）及び物真似さぼり度（停止率：９０％〜０％）が任意に設定されるもので、これにより設定された正確さ（正答率：５０％〜１００％）や物真似さぼり度（停止率：９０％〜０％）に応じた割合で、前記物真似アニメ画像Ｇｎは時として実際の観察対象人物Ｐの行動とは異なる行動に応じた画像選択が成されて配信され、また、物真似さぼり（停止）の場合には動物キャラクタが物真似をさぼっている様子のアニメ画像Ｇ４（図３（Ａ）参照）が選択されて配信される。
【００３２】
このように、観察対象人物Ｐ自身によって、モニタ情報に応じた物真似アニメ画像Ｇｎを見て確認できることや、そのモニタ情報の正確さ（正答率）及び物真似さぼり度（停止率）を設定できることで、当該観察対象人物Ｐにとってその観察がプレッシャーになる度合いは大幅に緩和される。
【００３３】
すなわち、モニタ端末２０においてその定期的（例えば１０分おき）なモニタ実行・行動情報の選択・画像選択処理毎に更新される“０”〜“１００”の範囲での乱数発生値が、前記観察対象人物Ｐ自身によって任意設定された物真似さぼり度（停止率：９０％〜０％）の範囲内に入った場合には、図３（Ａ）に示すように、「さぼっている」行動情報が選択され、動物キャラクタが自室内で寝ころんでいる様子の「さぼっている」アニメ画像Ｇ４が選択され、前記同様に配信依頼者（利用者）である親の表示端末（携帯電話）３０に配信されて表示される。
【００３４】
なお、このさぼって人真似をしていないときのアニメ画像Ｇ４が配信された場合に、その表示端末（携帯電話）３０において、当該アニメ画像Ｇ４上の動物キャラクタをクリックすると、モニタ端末２０に対し物真似の再開を要望する注意信号が送信される。そして、この表示端末（携帯電話）３０からの注意信号がモニタ端末２０に受信されると、当該モニタ端末２０では、図３（Ｂ）に示すように、さぼって寝ころんでいる動物キャラクタが注意に気づいた様子のアニメ画像Ｇ５が選択されてモニタ再開され、前記同様に配信依頼者（利用者）である親の表示端末（携帯電話）３０に配信されて表示される。
【００３５】
また、子供が自室内に一定時間見えていない状態となったことがモニタされると、この受信して取得されたモニタ情報に応じて画像配信サーバは、「不在」の行動情報を選択し、その行動情報に応じた「不在」のアニメ画像Ｇ６を読み出し、図３（Ｃ）に示すように、動物キャラクタが自室内に不在である様子の「外出中」メッセージが付加された「不在」のアニメ画像Ｇ６が選択され、前記同様に配信依頼者（利用者）である親の表示端末（携帯電話）３０に配信されて表示される。
【００３６】
さらに、前記表示端末（携帯電話）３０から送信されたメールがモニタ端末２０に受信されると、図３（Ｄ）に示すように、動物キャラクタが自室内でメールを運んでいる様子のアニメ画像Ｇ７が選択され、前記同様に配信依頼者（利用者）である親の表示端末（携帯電話）３０に配信されて表示される。
【００３７】
図４は前記画像配信システムにおいて配信依頼者（利用者）とその観察対象人物Ｐが例えば在宅勤務制度のある会社と在宅社員との関係である場合の各物真似アニメ画像（その１）を示す図である。
【００３８】
図５は前記画像配信システムにおいて配信依頼者（利用者）とその観察対象人物Ｐが例えば在宅勤務制度のある会社と在宅社員との関係である場合の各物真似アニメ画像（その２）を示す図である。
【００３９】
物真似アニメ画像配信の仕組みは、図２・図３の親子で利用する例と同様である。すなわち、在宅社員（Ｐ）の自室（Ｈ）に設置されたモニタ端末２０によりモニタされた該社員（Ｐ）のモニタ情報が、画像配信サーバ１０によって受信して取得され、そのモニタ情報に応じた行動情報が選択され、それに対応した物真似アニメ画像が配信サーバ１０から、会社の本人デスク上に設置された表示端末（会社ＰＣ）４０へ配信表示される。
【００４０】
この場合、例えば、在宅社員（Ｐ）は生のモニタ情報を画像配信サーバ１０に送ることを好まない場合もある。それに対応して、モニタ端末２０がモニタされた該社員（Ｐ）のモニタ情報から対応する行動情報を選択出力して、画像配信サーバ１０では、生のモニタ情報でなく行動情報を受信して、対応した物真似アニメ画像を配信出力するようにしても良い。以下は、この「モニタ端末２０で行動情報を選択出力する」例を示す。
【００４１】
観察対象人物Ｐである在宅社員の自室（Ｈ）に設置されたモニタ端末（自宅ＰＣ）２０によってＰＣ操作がモニタ（検知）されると、「ＰＣの操作」の行動情報が選択され、この行動情報が配信サーバ１０に送信される。配信サーバ１０では、対応する「ＰＣ操作」のロボットの画像が選択され、当該在宅社員（Ｐ）により予め選択設定された自室（Ｈ）の背景画像とロボットキャラクタとの組み合わせ画像において、図４（Ａ）に示すように、そのロボットキャラクタが自室内でパソコン操作している様子の「在席」メッセージが付加された［業務中］物真似アニメ画像Ｊ１が作成され、配信依頼者（利用者）である会社の表示端末（会社ＰＣ）４０に配信されて表示される。
【００４２】
なお、この在宅社員の自室背景画像とロボットキャラクタからなる組み合わせ画像には、当該在宅社員（Ｐ）のモニタ端末（自宅ＰＣ）２０に記憶されているスケジュールデータ（予定表）に対応した予定表が共に組み合わせされ、表示端末（会社ＰＣ）４０に配信表示された物真似アニメ画像Ｊｎにおいてその予定を確認できる。
【００４３】
また、在宅社員（Ｐ）によるＰＣ操作が一定時間（例えば２０分）モニタ端末（自宅ＰＣ）２０によってモニタされない場合に、「予定表」の行動情報が選択され、前記スケジュールデータ（予定表）に従い在宅社員（Ｐ）の「休憩時間」であることが読み出されると、対応する「休憩/遊び」の行動情報に変更して選択され、この行動情報が配信サーバ１０に送信される。配信サーバ１０では、図４（Ｂ）に示すように、この「休憩/遊び」のロボットキャラクタが音楽を聴いて休憩している様子の「在席」メッセージが付加された［休憩中］アニメ画像Ｊ２が選択され、配信依頼者（利用者）である会社の表示端末（会社ＰＣ）４０に配信されて表示される。
【００４４】
この在宅社員（Ｐ）のモニタ端末（自宅ＰＣ）２０の物真似アニメ画像Ｊｎは、同時にモニタ端末２０における表示画面にもサブウインドウとして表示され、観察対象人物Ｐである在宅社員自身が配信依頼者（利用者）である会社の表示端末（会社ＰＣ）４０へ配信されて表示される物真似アニメ画像Ｊｎを見て確認することができる。すなわち、モニタ端末（自宅ＰＣ）２０でモニタされたモニタ情報に対応する行動情報が選択されると、モニタ端末（自宅ＰＣ）２０においても、行動情報に対するアニメ画像Ｊ２が選択され表示出力する。従って、モニタ端末（自宅ＰＣ）２０も物真似画像出力装置としての機能を有する。
【００４５】
なお、この在宅勤務制度に伴う画像配信システムにおけるモニタ端末（自宅ＰＣ）２０での初期設定に際しても、観察対象人物Ｐ自身によって、前記自室背景画像と動物キャラクタとの組み合わせ画像の選択設定と共に、当該モニタ端末２０による観察対象人物Ｐのモニタの正確さ（正答率：５０％〜１００％）及び物真似さぼり度（停止率：９０％〜０％）が任意に設定されるもので、これにより設定されたモニタ正確さ（正答率：５０％〜１００％）や物真似さぼり度（停止率：９０％〜０％）に応じた割合で、前記物真似アニメ画像Ｊｎは時として実際の観察対象人物Ｐの行動とは異なる行動に応じた画像選択が成されて配信され、また、ロボットキャラクタが観察対象人物Ｐの観察・物真似をさぼっている様子のアニメ画像Ｊ３（図５（Ａ）参照）が選択されて配信される。
【００４６】
このように、観察対象人物（在宅社員）Ｐ自身によって、モニタに応じた物真似アニメ画像Ｊｎを見て確認できることや、そのモニタの正確さ（正答率）及び物真似さぼり度（停止率）を設定できることで、当該観察対象人物（在宅社員）Ｐにとってその観察がプレッシャーになる度合いは大幅に緩和される。
【００４７】
すなわち、モニタ端末（自宅ＰＣ）２０においてその定期的な（例えば１０分おき）モニタ・画像選択処理毎に更新される“０”〜“１００”の範囲での乱数発生値が、前記観察対象人物（在宅社員）Ｐ自身によって任意設定された物真似さぼり度（停止率：９０％〜０％）の範囲内に入った場合には、図５（Ａ）に示すように、ロボットキャラクタが居眠りをしてさぼっている様子のアニメ画像Ｊ３が選択され、前記同様に配信依頼者（利用者）である会社の表示端末（会社ＰＣ）４０に配信されて表示される。
【００４８】
また、モニタ端末（自宅ＰＣ）２０によって、在宅社員（Ｐ）のＰＣ操作が一定時間（例えば１時間）検知されない場合に、このモニタ情報に応じて「不在」の行動情報が選択され、この行動情報が配信サーバ１０に送信される。配信サーバ１０では、図５（Ｂ）に示すように、対応する、ロボットキャラクタが自室内に不在である様子の「不在」メッセージが付加された［外出中］アニメ画像Ｊ４が選択され、前記同様に配信依頼者（利用者）である会社の表示端末（会社ＰＣ）４０に配信されて表示される。
【００４９】
図６は前記画像配信システムのマンションＭ内各住居１０１，１０２，…，３０３にあるモニタ端末兼表示端末（自宅ＰＣ）５０ａ，５０ｂ，…，５０ｉによる観察対象である住人のモニタのしくみを示す図である。
【００５０】
前記画像配信サーバ１０は、図１に示すように、前記通信ネットワークＮに接続されたマンションＭ内各住居１０１，１０２，…，３０３にあるモニタ端末兼表示端末（自宅ＰＣ）５０ａ，５０ｂ，…，５０ｉによりモニタされた各住居内における観察対象人物Ｐ101-Ｐ303のそれぞれの行動に応じた物真似アニメ画像を管理人室Ｋの表示端末（自宅ＰＣ）６０へ配信するもので、この際、各住居における観察対象人物Ｐ101-Ｐ303同士で自分の行動観察を許可している相手に対しては、その物真似アニメ画像は許可相手であるモニタ端末兼表示端末（自宅ＰＣ）５０ａ，５０ｂ，…，５０ｉへも配信されて表示される。
【００５１】
この場合、マンションの各端末（管理人室の表示端末６０、各住居内のモニタ端末兼表示端末（自宅ＰＣ）５０ａ〜５０ｉ）をネットワークで直結して、モニタ端末兼表示端末でモニタされたモニタ情報を表示端末やモニタ端末兼表示端末に送り表示させる側で、取得したモニタ情報から対応する行動情報を選択出力して対応する画像を表示出力させるようにしても良い。この場合は、表示端末側（表示端末・モニタ端末兼表示端末）が、物真似画像出力装置として機能する。
【００５２】
以下は、この「表示端末側（表示端末・モニタ端末兼表示端末）が、物真似画像出力装置として機能」する例を示す。
【００５３】
このモニタ端末兼表示端末（自宅ＰＣ）５０ａ，５０ｂ，…，５０ｉでは、カメラ２９ａからの撮像画像の解析による住人のモニタだけでなく、住居で使用する各家電製品（ポット２９ｂ，エアコン２９ｃ，ＴＶ２９ｄ，ビデオ２９ｅ，ＴＶドアホン２９ｆ，照明２９ｇ，電気・ガス・水道メータ２９ｈ，圧力センサ付き座布団２９ｉなど）からのBluetooth(R)(短距離無線技術)を利用した行動情報に基づき住人のモニタが行われる。
【００５４】
図７は前記画像配信システムにおいて配信依頼者（利用者）とその観察対象人物Ｐが例えばマンションＭ内の管理人と住人Ｐ101-Ｐ303との関係である場合の各住居対応の物真似アニメ画像を示す図である。
【００５５】
観察対象人物Ｐである住人Ｐ101の住居（Ｈ101）に設置されたモニタ端末兼表示端末（自宅ＰＣ）５０ａ〜５０ｉによってモニタされた、各家電製品２９ａ〜２９ｉ（ＢＴ）のモニタ情報が、「表示端末６０及びモニタ端末兼表示端末（自宅ＰＣ）５０ａ〜５０ｉ」（以下「表示端末等」と記載する）に送信される。表示端末等は、各モニタ端末兼表示端末（自宅ＰＣ）５０ａ〜５０ｉから送信されたモニタ情報を受信して取得する。表示端末等は、この取得したモニタ情報に対応する行動情報を選択し、対応する行動情報のキャラクタ画像を読み出して、背景画像と組み合わせたアニメ画像を表示する。例えば電気・ガス・水道メータ２９ｈからの「消費電力情報が最低電力（待機電力）となっている」モニタ情報が、表示端末等に送信され、表示端末等では、受信して取得した「消費電力情報が最低電力（待機電力）となっている」のモニタ情報に応じて「不在」の行動情報が選択される。そして、１０１号室の住人Ｐ101により予め選択設定された自室（Ｈ101）の背景画像とキャラクタとの組み合わせ画像において、当該キャラクタが自室内に不在である様子の「外出中」メッセージが付加されたアニメ画像Ｘ101が選択され、表示出力される。
【００５６】
また、住居（Ｈ102）に設置されたモニタ端末兼表示端末（自宅ＰＣ）５０ｂにより、例えば「調理器具の使用」がモニタされると、このモニタ情報が、表示端末等に送信され、表示端末では「調理器具の使用」に対応する「食事」の行動情報が選択され、当該住人Ｐ102により予め選択設定された背景画像と人物キャラクタとの組み合わせ画像において、当該人物キャラクタが忙しそうに料理している様子の「食事」の物真似アニメ画像Ｘ102が選択され表示端末等において表示出力される。
【００５７】
また、住居（Ｈ103）に設置されたモニタ端末兼表示端末（自宅ＰＣ）５０ｃにより、例えば「ＰＣ・調理器具以外の使用」がモニタされると、このモニタ情報が表示端末等に送信される。表示端末等では、この「ＰＣ・調理器具以外の使用」のモニタ情報に対応する「休憩/遊び」の行動情報が選択され、当該住人Ｐ103により予め選択設定された個人情報（休憩中にすること「１人将棋」）に基づき、自室（Ｈ103）の選択背景画像と選択動物キャラクタとの組み合わせ画像において、当該動物キャラクタが１人で将棋を指している様子の「休憩/遊び」の物真似アニメ画像Ｘ103が選択され、表示端末等において表示出力される。
【００５８】
また、住居（Ｈ201）に設置されたモニタ端末兼表示端末（自宅ＰＣ）５０ｄにより、例えばＴＶドアホン２９ｆにより他人の入室がモニタされると、「ドアホンで他人検知、入室」のモニタ情報が表示端末等に送信される。表示端末等では、この「ドアホンで他人検知、入室」のモニタ情報に対応する「来客中」の行動情報が選択され、当該住人Ｐ201により予め選択設定された自室（Ｈ201）の背景画像と動物キャラクタとの組み合わせ画像において、「来客中」の行動情報に対応する「来客中」のメッセージを付加したアニメ画像Ｘ201が選択され、受信端末等において表示出力される。
【００５９】
なお、このマンション住人用の画像配信システムにおける各モニタ端末兼表示端末（自宅ＰＣ）５０ａ〜５０ｉでの初期設定に際しても、観察対象人物Ｐ101-Ｐ303自身によって、前記自室背景画像とキャラクタとの組み合わせ画像の選択設定と共に、当該モニタ端末兼表示端末（自宅ＰＣ）５０ａ〜５０ｉによる観察対象人物Ｐのモニタの正確さ（正答率：５０％〜１００％）及び物真似さぼり度（停止率：９０％〜０％）が任意に設定されるもので、これにより設定された正確さ（正答率：５０％〜１００％）や物真似さぼり度（停止率：９０％〜０％）に応じた割合で、前記各住人対応の物真似アニメ画像は時として実際の観察対象人物Ｐの行動とは異なる行動に応じた画像選択が成されて配信され、また、キャラクタが観察対象人物Ｐの観察・物真似をさぼっている様子のアニメ画像が選択されて配信される。
【００６０】
すなわち、例えば住居（Ｈ203）に設置されたモニタ端末兼表示端末（自宅ＰＣ）５０ｆにおいてその定期的な（例えば１０分おき）モニタ・画像選択処理毎に更新される“０”〜“１００”の範囲での乱数発生値が、その住人Ｐ203自身によって任意設定された物真似さぼり度（停止率：９０％〜０％）の範囲内に入った場合には、当該住人Ｐ203により予め選択設定された動物キャラクタが居眠りをしてさぼっている様子のアニメ画像Ｘ203が選択され、前記同様に配信依頼者（利用者）である管理人室Ｋの表示端末（自宅ＰＣ）６０に配信されて表示される。
【００６１】
また、住居（Ｈ302）に設置されたモニタ端末兼表示端末（自宅ＰＣ）５０ｈにより、例えば「ＰＣ・調理器具以外の使用」がモニタされると、このモニタ情報が表示端末等に送信される。表示端末等では、「ＰＣ・調理器具以外の使用」のモニタ情報に対応する「休憩/遊び」の行動情報が選択され、当該住人Ｐ302により予め選択設定された個人情報（「休憩/遊び」にすること「ＴＶ」）に基づき、自室（Ｈ302）の選択背景画像と選択動物キャラクタとの組み合わせ画像において、当該動物キャラクタがあくびをしながらＴＶを見ている様子の「休憩/遊び」の物真似アニメ画像Ｘ302が選択され、表示出力される。
【００６２】
さらに、住居（Ｈ303）に設置されたモニタ端末兼表示端末（自宅ＰＣ）５０ｉにおいて、例えば「デスク用ライトの使用」がモニタされると、このモニタ情報が表示端末等に送信される。表示端末等では、この「デスク用ライトの使用」のモニタ情報に対応する「勉強中・読書中」の行動情報が選択され、当該住人Ｐ303により予め選択設定された自室（Ｈ303）の選択背景画像と選択ロボットキャラクタとの組み合わせ画像において、当該ロボットキャラクタが勉強中でである様子の「勉強中・読書中」の物真似アニメ画像Ｘ303が選択され、表示出力される。
【００６３】
そして、例えば住居（Ｈ103）に設置されたモニタ端末兼表示端末（自宅ＰＣ）５０ｃにおいて、外部からメールの受信がモニタされると、このモニタ情報が表示端末等に送信される。表示端末等では、この「新規メールの受信」のモニタ情報に対応する「メールを運ぶ」の行動情報が選択され、動物キャラクタが自室内でメールを運んでいる様子の「メールを運ぶ」のアニメ画像Ｘ103′が選択され、表示出力される。
【００６４】
なお、モニタ端末兼表示端末（自宅ＰＣ）５０ａ〜５０ｉにおいて、予めその住人観察の禁止が初期設定された場合には、住居（Ｈ301）あるいは（Ｈ202）で示すように、カーテンの閉まっているアニメ画像が配信される。
【００６５】
そして、このようなマンションＭにおける各住居Ｈ101-Ｈ303の住人Ｐ101-Ｐ303に対応の物真似アニメ画像Ｘ101-Ｘ303は、当該各住居Ｈ101-Ｈ303における観察対象人物Ｐ101-Ｐ303同士で自分の行動観察を許可している相手に対しては、その物真似アニメ画像Ｘｎは許可相手であるモニタ端末兼表示端末（自宅ＰＣ）５０ａ，５０ｂ，…，５０ｉへも配信されて表示される。
【００６６】
このようなマンションＭ内の住民コミュニケーションを対象とする画像配信システムの場合でも、各観察対象人物（住人）Ｐ101-Ｐ303自身によって、モニタに応じた物真似アニメ画像を見てサブウインドウ上で確認できることや、そのモニタの正確さ及び物真似さぼり度を設定できることで、当該観察対象人物（住人）Ｐ101-Ｐ303にとってその観察がプレッシャーになる度合いは大幅に緩和される。
【００６７】
このようにマンション内の住人相互のコミュニケーションにおいて、自分が希望するレベルで適度に自分の行動情報を周囲の住人に開示できることとなり、お互いに遠慮やお節介のしすぎを気にすることなくコミュニケーションを図ることができる。また、管理人にとっては、住人のプライバシを侵害することを気にすることなく、住民の状態等を知る事も可能になり、効率よい管理が行える。
【００６８】
図８は前記画像配信システムにおける画像配信サーバ１０の電子回路の構成を示すブロック図である。
【００６９】
画像配信サーバ１０は、各種の記録媒体に記録されたプログラム、又は、伝送されたプログラムを読み込んで、その読み込んだプログラムによって動作が制御されるコンピュータによって構成され、その電子回路には、ＣＰＵ１１が備えられる。
【００７０】
ＣＰＵ１１は、ＥＥＰ−ＲＯＭやハードディスク，フラッシュメモリなどのメモリ１２に予め記憶されたサーバ制御プログラム、あるいはＣＤ−ＲＯＭやフロッピディスクなどの外部記録媒体１３から記録媒体読取部１４を介して前記メモリ１２に読み込まれたサーバ制御プログラム、あるいは通信ネットワークＮ上の他のコンピュータ端末から電送制御部１５を介して前記メモリ１２に読み込まれたサーバ制御プログラムに応じて、回路各部の動作を制御するもので、前記メモリ１２に記憶されたサーバ制御プログラムは、通信ネットワークＮを介して電送制御部１５に受信される例えば子供や在宅社員の自室（Ｈ）に設置されたモニタ端末（自宅ＰＣ）２０、親が所有する表示端末（携帯電話）３０、在宅勤務制度のある会社の社員デスクに設置された表示端末（会社ＰＣ）４０、マンションＭ内の各住居Ｈ101-Ｈ303に設置されたモニタ端末兼表示端末（自宅ＰＣ）５０ａ，５０ｂ，…，５０ｉ、管理人室Ｋに設置された表示端末（自宅ＰＣ）６０などの各コンピュータ端末からの信号に応じて起動される。
【００７１】
前記ＣＰＵ１１には、前記メモリ１２、記録媒体読取部１４、電送制御部１５が接続される他に、キーボードやマウスなどの入力部１６、ＣＲＴやＬＣＤなどの表示部１７、現在時刻の計時を行う時計部１８などが接続される。
【００７２】
この画像配信サーバ１０のメモリ１２には、当該サーバ１０の全体の動作を司るサーバシステムプログラムや電送制御部１５を介して通信ネットワークＮ上の各コンピュータ端末とデータ通信するための通信プログラムが記憶される他に、前記モニタ端末（自宅ＰＣ）２０やモニタ端末兼表示端末（自宅ＰＣ）５０ａ，５０ｂ，…，５０ｉにおけるモニタに応じた画像選択処理に対応してその選択画像である物真似アニメ画像の配信及び広告の掲載及び利用者への課金処理などを行うための画像配信処理プログラム１２ａ、モニタ端末（自宅ＰＣ）２０と表示端末（携帯電話）３０，（会社ＰＣ）４０との間、あるいはモニタ端末兼表示端末（自宅ＰＣ）５０ａ，５０ｂ，…，５０ｉ相互間や表示端末（自宅ＰＣ）６０との間での当該画像配信サーバ１０を介したメールの送受信処理を行うためのメール配信プログラム１２ｂが記憶される。
【００７３】
また、前記画像配信サーバ１０のメモリ１２には、各利用者別のデータメモリ１２ｃが備えられ、この利用者別データメモリ１２ｃには、その画像配信の依頼者（利用者）に対応する携帯電話番号及び認証データからなる利用者ＩＤ１２ｄ、モニタ端末２０（モニタ端末兼表示端末５０ａ，５０ｂ，…，５０ｉ）のメールアドレスであるモニタ端末アドレス１２ｅ、利用者の銀行口座番号・課金実績からなる利用者課金情報１２ｆ、モニタ端末２０でのキャラクタ及び背景画像の組み合わせ及びこの組み合わせ画像からなるモニタに応じた画像選択に従い動物・ロボット・人などのキャラクタの種類や背景画像である部屋のイメージを選択設定するための画像設定データ１２ｇ、観察対象人物Ｐの個人情報に対して物真似キャラクタの行動情報を対応付けた個人情報データ・対応キャラ選択データ１２ｈ、広告主から掲載依頼された広告情報１２ｉ、広告主の銀行口座番号・課金実績からなる広告先課金情報１２ｊ、観察対象人物Ｐにより任意設定される正答率（モニタ正確さ）・停止率（さぼり度）１２ｋ、個人の予定表１２ｌ、取得したモニタ情報に対応する行動情報を複数組記憶する「モニタ・行動情報テーブル」１２ｍ、記憶された個人情報データに対応する行動情報を複数組記憶する「個人情報・行動情報テーブル」１２ｎ、記憶された予定表に対応する行動情報を複数組記憶する「予定表・行動情報テーブル」１２ｏ、行動情報に対応した画像を複数記憶する行動画像データ１２ｐなどが記憶される。
【００７４】
図９は前記画像配信システムにおける表示端末（携帯電話３０／会社ＰＣ４０／自宅ＰＣ６０）の電子回路の構成を示すブロック図である。
【００７５】
表示端末３０，４０，６０は、各種の記録媒体に記録されたプログラム、又は、伝送されたプログラムを読み込んで、その読み込んだプログラムによって動作が制御されるコンピュータによって構成され、その電子回路には、ＣＰＵ３１が備えられる。
【００７６】
ＣＰＵ３１は、ＥＥＰ−ＲＯＭやハードディスク，フラッシュメモリなどのメモリ３２に予め記憶された表示端末制御プログラム、あるいはＣＤ−ＲＯＭやフロッピディスクなどの外部記録媒体３３から記録媒体読取部３４を介して前記メモリ３２に読み込まれた表示端末制御プログラム、あるいは通信ネットワークＮ上の他のコンピュータ端末から電送制御部３５を介して前記メモリ３２に読み込まれた表示端末制御プログラムに応じて、回路各部の動作を制御するもので、前記メモリ３２に記憶された表示端末制御プログラムは、入力部３６からのユーザ操作に応じた入力信号、あるいは電送制御部３５に受信される通信ネットワークＮ上の画像配信サーバ１０やモニタ端末（自宅ＰＣ）２０（モニタ端末兼表示端末５０ａ，５０ｂ，…，５０ｉ）などの他のコンピュータ端末からの信号に応じて起動される。
【００７７】
前記ＣＰＵ３１には、前記メモリ３２、記録媒体読取部３４、電送制御部３５、入力部３６が接続される他に、ＣＲＴやＬＣＤからなる表示部３７、現在時刻の計時を行う時計部３８などが接続される。
【００７８】
この表示端末３０，４０，６０のメモリ３２には、当該表示端末３０，４０，６０の全体の動作を司る表示端末システムプログラム、電送制御部３５を介して通信ネットワークＮ上の各コンピュータ端末とデータ通信するための通信プログラムが記憶される他に、前記画像配信サーバ１０から配信される物真似アニメ画像を表示出力するための画像配信処理プログラム（表示端末用）３２ａ、前記画像配信サーバ１０をメールサーバとしてモニタ端末（自宅ＰＣ）２０、あるいはモニタ端末兼表示端末（自宅ＰＣ）５０ａ，５０ｂ，…，５０ｉとの間でメールの送受信処理を行うためのメールプログラム３２ｂが記憶される。
【００７９】
また、前記表示端末３０，４０，６０のメモリ３２には、この表示端末のユーザを配信依頼者（利用者）とする利用者別のデータメモリ３２ｃが備えられ、この利用者別データメモリ３２ｃには、その依頼者（利用者）に対応する携帯電話番号及び認証データからなる利用者ＩＤ３２ｄ、モニタ端末２０（モニタ端末兼表示端末５０ａ，５０ｂ，…，５０ｉ）のメールアドレスであるモニタ端末アドレス３２ｅ、利用者の銀行口座番号・課金実績からなる利用者課金情報３２ｆ、モニタ端末２０でのキャラクタ及び背景画像の組み合わせ及びこの組み合わせ画像からなるモニタに応じた画像選択に従い動物・ロボット・人などのキャラクタの種類や背景画像である部屋のイメージを選択設定するための画像設定データ３２ｇ、観察対象人物Ｐの個人情報に対して物真似キャラクタの行動情報を対応付けた個人情報データ・対応キャラ選択データ３２ｈ、広告主により掲載された広告情報３２ｉ、広告主の銀行口座番号・課金実績からなる広告先課金情報３２ｊ、観察対象人物Ｐにより任意設定される正答率（モニタ正確さ）・停止率（さぼり度）３２ｋ、行動情報に対応した画像を複数記憶する行動画像データ３２ｍなどが記憶される。
【００８０】
図１０は前記画像配信システムにおけるモニタ端末（自宅ＰＣ）２０の電子回路の構成を示すブロック図である。
【００８１】
モニタ端末（自宅ＰＣ）２０は、各種の記録媒体に記録されたプログラム、又は、伝送されたプログラムを読み込んで、その読み込んだプログラムによって動作が制御されるコンピュータによって構成され、その電子回路には、ＣＰＵ２１が備えられる。
【００８２】
ＣＰＵ２１は、ＥＥＰ−ＲＯＭやハードディスク，フラッシュメモリなどのメモリ２２に予め記憶されたモニタ端末制御プログラム、あるいはＣＤ−ＲＯＭやフロッピディスクなどの外部記録媒体２３から記録媒体読取部２４を介して前記メモリ２２に読み込まれたモニタ端末制御プログラム、あるいは通信ネットワークＮ上の他のコンピュータ端末から電送制御部２５を介して前記メモリ２２に読み込まれたモニタ端末制御プログラムに応じて、回路各部の動作を制御するもので、前記メモリ２２に記憶されたモニタ端末制御プログラムは、入力部２６からのユーザ操作に応じた入力信号、あるいは電送制御部２５に受信される通信ネットワークＮ上の画像配信サーバ１０や表示端末（携帯電話３０／会社ＰＣ４０／自宅ＰＣ６０）などの他のコンピュータ端末からの信号、あるいはモニタセンサ２９による観察対象人物Ｐのモニタ信号に応じて起動される。
【００８３】
前記ＣＰＵ２１には、前記メモリ２２、記録媒体読取部２４、電送制御部２５、入力部２６、モニタセンサ２９が接続される他に、ＣＲＴやＬＣＤからなる表示部２７、現在時刻の計時を行う時計部２８などが接続される。
【００８４】
ここで、モニタ端末（自宅ＰＣ）２０におけるモニタセンサ２９としては、例えばカメラやマイク，タッチセンサなどが備えられるが、例えばこのモニタ端末（自宅ＰＣ）２０がマンションＭの各住居Ｈ101-303に設置されるモニタ端末兼表示端末５０ａ，５０ｂ，…，５０ｉである場合には、前記図６において示したような、各住居で使用する各家電製品（ポット２９ｂ，エアコン２９ｃ，ＴＶ２９ｄ，ビデオ２９ｅ，ＴＶドアホン２９ｆ，照明２９ｇ，電気・ガス・水道メータ２９ｈ，圧力センサ付き座布団２９ｉなど）からのＢＴ(Bluetooth(R):短距離無線技術)を利用したモニタ情報が電送制御部２５にて受信され、観察対象人物Ｐである住人のモニタが行われる。
【００８５】
このモニタ端末（自宅ＰＣ）２０のメモリ２２には、当該モニタ端末２０の全体の動作を司るモニタ端末システムプログラム、電送制御部２５を介して通信ネットワークＮ上の各コンピュータ端末とデータ通信するための通信プログラムが記憶される他に、当該モニタ端末２０が設置された場所（Ｈ）における観察対象人物Ｐの行動をモニタし、このモニタに応じた物真似アニメ画像を選択して前記画像配信サーバ１０へ送信するための画像配信処理プログラム（モニタ端末用）２２ａ、前記画像配信サーバ１０をメールサーバとして表示端末（携帯電話３０／会社ＰＣ４０／自宅ＰＣ６０）との間でメールの送受信処理を行うためのメールプログラム２２ｂが記憶される。
【００８６】
また、前記モニタ端末（自宅ＰＣ）２０のメモリ２２には、対応する表示端末（携帯電話３０／会社ＰＣ４０／自宅ＰＣ６０）へ配信させるべき物真似アニメ画像を構成する動物・ロボット・人などのキャラクタの種類や背景画像である部屋のイメージを選択設定するための画像設定データ２２ｃ、当該モニタ端末（自宅ＰＣ）２０のユーザである観察対象人物Ｐにより任意設定されるモニタの正答率（正確さ）・停止率（さぼり度）２２ｄ、そして、同モニタ端末（自宅ＰＣ）２０のユーザである観察対象人物Ｐ本人のスケジュールデータ（予定表）２２ｅ、観察対象人物Ｐの個人情報に対して物真似キャラクタの行動情報を対応付けた個人情報データ・対応キャラ選択データ２２ｆ、取得したモニタ情報に対応する行動情報を複数組記憶する「モニタ・行動情報テーブル」２２ｇ、記憶された個人情報データに対応する行動情報を複数組記憶する「個人情報・行動情報テーブル」２２ｈ、記憶された予定表に対応する行動情報を複数組記憶する「予定表・行動情報テーブル」２２ｉ、行動情報に対応した画像を複数記憶する行動画像データ２２ｊが記憶される。
【００８７】
図１１は前記画像配信システムのモニタ端末（自宅ＰＣ）２０やモニタ端末兼表示端末５０ａ，５０ｂ，…，５０ｉにおける画像配信処理プログラム（モニタ端末用）２２ａに組み込まれたモニタ内容と物真似の行動情報を対応付けするためのモニタ・行動情報テーブルを示す図である。
【００８８】
図１２は前記物真似の行動情報に対応する画像コードの各キャラクタ別の画像データを示す図である。
【００８９】
この画像データは動画又は静止画で構成される。また、画像データそのものでなく、物真似の行動情報に対応する動画又は静止画を作成するための実行プログラムデータであってもよい。
【００９０】
このモニタ・行動情報テーブルには、▲１▼ＰＣ動作、▲２▼家電製品からのＢＴ情報、▲３▼カメラ画像のそれぞれに従ったモニタ情報の種類と、各種のモニタに応じた物真似するキャラクタの行動情報、行動情報に対応する行動画像の画像コード、及び特定のキャラクタの行動情報に伴う追加処理が対応付けされて設定されるもので、モニタ端末（自宅ＰＣ）２０の“ＰＣ−ＯＮ”がモニタされた場合には、対応するキャラクタの行動情報として［（０）ＰＣの前に座る］が選択されて、指定のキャラクタについて図１２のその物真似アニメ画像Ｏが読み出され、配信又は表示されると共に、追加処理として当該モニタ端末２０でのモニタの開始が表示端末（携帯電話３０／会社ＰＣ４０／自宅ＰＣ６０）へ通知される。この際、表示端末（携帯電話３０／会社ＰＣ４０／自宅ＰＣ６０）では、前記モニタ端末２０からのモニタの開始通知に応じて電源がＯＮされ物真似アニメ画像が表示される、又は配信された先で物真似アニメ画像が表示される。
【００９１】
また、例えばモニタ端末（自宅ＰＣ）２０の“ＰＣ操作”がモニタされた場合には、対応するキャラクタの行動情報として［（Ａ）ＰＣの操作］が選択されてその物真似アニメ画像が配信又は表示される。
【００９２】
また、モニタ端末（自宅ＰＣ）２０において、“２０分間キー操作なし”がモニタされた場合には、対応するキャラクタの行動情報として［（Ｘ）予定表］が選択され、メモリ２２内のスケジュールデータ（予定表）２２ｅに記憶された観察対象人物Ｐの現在の予定に応じたキャラクタの行動情報が、図１３における予定表・行動情報テーブルに従い選択されてその物真似アニメ画像が図１２から読み出され、配信又は表示される。
【００９３】
図１３は前記画像配信システムのモニタ端末（自宅ＰＣ）２０やモニタ端末兼表示端末５０ａ，５０ｂ，…，５０ｉにおける画像配信処理プログラム（モニタ端末用）２２ａに組み込まれた行動予定内容と物真似の行動情報を対応付けするための予定表・行動情報テーブルを示す図である。
【００９４】
つまり、モニタ端末（自宅ＰＣ）２０において、“２０分間キー操作なし”がモニタされた場合に、メモリ２２内のスケジュールデータ（予定表）２２ｅに基づき観察対象人物Ｐの現在の予定が例えば“休憩時間”であった場合には、対応するキャラクタの行動情報として［（Ｄ）休憩／遊び］が選択され、その物真似アニメ画像が図１２から読み出され、配信又は表示される。
【００９５】
なお、この観察対象人物Ｐの予定表に応じて［（Ｄ）休憩／遊び］が選択された場合には、当該休憩・遊びに対応するキャラクタの行動情報の内容が、図１４における個人情報・行動情報テーブルに従い選択されてその物真似アニメ画像が図１２から読み出され、配信又は表示される。
【００９６】
図１４は前記画像配信システムのモニタ端末（自宅ＰＣ）２０やモニタ端末兼表示端末５０ａ，５０ｂ，…，５０ｉにおける画像配信処理プログラム（モニタ端末用）２２ａに組み込まれた個人情報・行動情報テーブルを示す図である。
【００９７】
つまり、前記観察対象人物Ｐの予定表に応じて［（Ｄ）休憩／遊び］が選択された場合に、前記個人情報・行動情報テーブルに基づき観察対象人物Ｐの個人情報として「好きな飲み物（お茶／コーヒ紅茶／ジュース）」における「好きな飲み物（お茶）」、「休憩時間にすること（音楽聞く／１人将棋／ＴＶ）」における「休憩時間にすること（１人将棋）」などが得られた場合には、当該好きな飲み物を飲んだり好きなことをするキャラクタの行動情報の１つがランダム選択され、その物真似アニメ画像が図１２から読み出され、一定時間ずつ切り替わって配信又は表示される。
【００９８】
一方、さらにモニタ端末（自宅ＰＣ）２０において、“１時間キー操作なし”が▲１▼ＰＣ動作に基づきモニタされるか、“消費電力最低＝待機電力”が▲２▼家電製品からのＢＴ情報に基づきモニタされるか、“一定時間本人が見えない”が▲３▼カメラ画像に基づきモニタされた場合には、対応するキャラクタの行動情報として［（Ｂ）不在］が選択されてその物真似アニメ画像が図１２から読み出され、配信又は表示される。
【００９９】
以下同様に、モニタ端末（自宅ＰＣ）２０やモニタ端末兼表示端末５０ａ，５０ｂ，…，５０ｉにおける▲１▼ＰＣ動作、▲２▼家電製品からのＢＴ情報、▲３▼カメラ画像のそれぞれに従ったモニタ情報に応じて、前記モニタ情報・行動情報テーブル及び予定表・行動情報テーブル及び個人情報・行動情報テーブルに従い対応するキャラクタの行動情報として決定され、その物真似アニメ画像が図１２から読み出され、配信又は表示される。
【０１００】
なお、このモニタ端末（自宅ＰＣ）２０やモニタ端末兼表示端末５０ａ，５０ｂ，…，５０ｉにおける観察対象人物Ｐのモニタ・画像選択に従った物真似アニメ画像の配信は、選択されたキャラクタの行動情報の画像番号（例えばモニタ・行動情報テーブルにおけるキャラの行動情報記号（０）（Ａ）（Ｘ）（Ｂ）…）として画像配信サーバ１０や表示端末（携帯電話３０／会社ＰＣ４０／自宅ＰＣ６０）へ送信され、当該画像配信サーバ１０や表示端末３０／４０／６０内のメモリに記憶された画像設定データに基づいて対応する物真似アニメ画像に作成変換されて表示出力される。または、画像配信サーバ１０において物真似アニメ画像に作成変換されて動画や静止画として表示端末に送信出力される。または、画像配信サーバ１０において、選択されたキャラクタの行動情報の画像番号（例えばモニタ・行動情報テーブルにおけるキャラの行動情報記号（０）（Ａ）（Ｘ）（Ｂ）…）として表示端末（携帯電話３０／会社ＰＣ４０／自宅ＰＣ６０）へ送信され、当該表示端末３０／４０／６０内のメモリに記憶された画像設定データに基づいて対応する物真似アニメ画像に作成変換されて表示出力されるようにしても良い。
【０１０１】
また、画像配信サーバ１０には、マンションＭの各住居Ｈ101-Ｈ303におけるモニタ端末兼表示端末５０ａ，５０ｂ，…，５０ｉによってモニタされた各住人Ｐ101-Ｐ303それぞれの物真似アニメ画像を、マンション管理人及び当該マンション各住人Ｐ101-Ｐ303同士間で表示許可するか不可するかを設定した配信可否設定テーブルが組み込まれる。
【０１０２】
図１５は前記画像配信システムの画像配信サーバ１０における画像配信処理プログラム１２ａに対応付けられて用意される配信可否設定テーブルを示す図である。
【０１０３】
この配信可否設定テーブルによれば、マンションＭ内の各住人Ｐ101-Ｐ303のそれぞれにおいて、自分の行動を知られたくない住居Ｈｎの表示端末（自宅ＰＣ）５０，６０に対し、個別に画像配信の不可を設定することができる。この配信可否設定テーブルにおける各住居Ｈ101-Ｈ303毎の配信可否設定データは、当該各住居Ｈ101-Ｈ303の住人Ｐ101-Ｐ303によるモニタ端末兼表示端末５０ａ，５０ｂ，…，５０ｉでの初期設定処理に伴い設定されて登録される。
【０１０４】
次に、前記構成の画像配信システムによる観察対象人物Ｐのモニタに応じた物真似画像の配信機能について説明する。
【０１０５】
図１６は前記画像配信システムによる画像配信機能の全体処理を示すフローチャートであり、同図（Ａ）はモニタ端末２０（モニタ端末兼表示端末５０ａ，５０ｂ，…，５０ｉ）での処理を示すフローチャート、同図（Ｂ）は画像配信サーバ１０での処理を示すフローチャート、同図（Ｃ）は表示端末（携帯電話３０／会社ＰＣ４０／自宅ＰＣ６０）での処理を示すフローチャートである。
【０１０６】
モニタ端末２０（モニタ端末兼表示端末５０ａ，５０ｂ，…，５０ｉ）では、まず、図１８における初期設定処理が起動される（ステップＡＤ）。
【０１０７】
図１８は前記画像配信システムのモニタ端末２０（モニタ端末兼表示端末５０ａ，５０ｂ，…，５０ｉ）による初期設定処理を示すフローチャートである。
【０１０８】
この初期設定処理では、まずこの画像配信システムによる画像の配信を利用する利用者のＩＤが入力されて登録され（ステップＤ１）、また、当該モニタ端末２０のメールアドレスが入力されて登録される（ステップＤ２）。
【０１０９】
さらに、利用者の課金情報（銀行口座番号）が入力されて登録される（ステップＤ３）。
【０１１０】
また、このモニタ端末２０を使用する観察対象人物Ｐによって、物真似アニメ画像を構成するキャラクタの種類（動物・ロボット・人など）及び背景画像となる部屋のイメージが、メモリ２２内の画像設定データ２２ｃに基づき選択されて登録される（ステップＤ４）。
【０１１１】
そして、このモニタ端末２０を使用する観察対象人物Ｐによって、図１４における個人情報・行動情報テーブルに基づき、例えば好きな飲み物や休憩時間にすることなどの個人情報が選択的に入力されると（ステップＤ５）、選択入力された個人情報に対応して複数用意されたキャラクタの行動情報の画像の１つが表示される（ステップＤ６）。
【０１１２】
例えば個人情報（好きな飲み物）として「コーヒ紅茶」が選択された場合には、前記ステップＤ４において選択された種類のキャラクタがコーヒ紅茶を飲んでいる様子の第１の動作画像が表示される。
【０１１３】
ここで、「ＯＫ」の操作がなされると（ステップＤ７）、前記選択入力された個人情報（好きな飲み物）及びその対応動作画像が設定登録され、次の個人情報（例えば休憩時間にすること）の選択待機状態となる（ステップＤ９→Ｄ５）。
【０１１４】
一方、前記ステップＤ６において表示された選択個人情報に対応する動作画像について「ＯＫ」の操作がなされない場合には、他の動作画像、すなわち例えば前記コーヒ紅茶を飲んでいる様子の第２の動作画像が選択されて設定登録される（ステップＤ７→Ｄ８）。
【０１１５】
そして、前記ステップＤ５〜Ｄ９の処理に従って、個人情報の選択及びその対応動作画像の設定登録がなされると、当該個人情報に応じた広告（例えばコーヒ紅茶の広告）が選択されて登録される（ステップＤ１０）。
【０１１６】
するとさらに、当該モニタ端末２０におけるモニタの正確さ（正答率：５０％〜１００％）及び物真似キャラクタによる物真似動作のさぼり度（停止率：９０％〜０％）が所望の割合に選択されて登録される（ステップＤ１１，Ｄ１２）。
【０１１７】
こうして、前記図１８における初期設定処理（ステップＡＤ）に従って、利用者ＩＤ、当該モニタ端末２０のメールアドレス、利用者課金用の銀行口座番号、物真似アニメ画像を構成するキャラクタの種類（動物・ロボット・人など）及び背景画像となる部屋のイメージ、個人情報及びその対応動作画像と広告、そして、モニタ正答率（正確さ）及び停止率（さぼり度）が設定されると、このモニタ端末２０（モニタ端末兼表示端末５０ａ，５０ｂ，…，５０ｉ）での各設定データは、通信ネットワークＮを介して画像配信サーバ１０へ送信される（ステップＡ１）。
【０１１８】
すると、画像配信サーバ１０では、前記モニタ端末２０（モニタ端末兼表示端末５０ａ，５０ｂ，…，５０ｉ）から受信された各種の設定データがそのままさらに通信ネットワークＮを介して各モニタ端末２０（モニタ端末兼表示端末５０ａ，５０ｂ，…，５０ｉ）に対応する表示端末（携帯電話３０／会社ＰＣ４０／自宅ＰＣ６０）へ送信転送されると共に（ステップＢ１）、当該画像配信サーバ１０内のメモリ１２（図８参照）に対して、前記受信された各設定データが登録される（ステップＢ２）。
【０１１９】
さらに、表示端末（携帯電話３０／会社ＰＣ４０／自宅ＰＣ６０）においても、前記画像配信サーバ１０を経由して転送受信された前記モニタ端末２０（モニタ端末兼表示端末５０ａ，５０ｂ，…，５０ｉ）からの各種の設定データが、当該表示端末（３０／４０／６０）内のメモリ３２（図９参照）に対して登録される（ステップＣ１）。なお、本実施例においては、この初期設定処理をモニタされる側のモニタ端末で行うこととしたが、画像配信サーバ装置１０や表示端末で行うようにしてもよい。
【０１２０】
そして、モニタ端末２０（モニタ端末兼表示端末５０ａ，５０ｂ，…，５０ｉ）において、時計部２８による計時信号に基づき、例えば１０分間隔に設定されたモニタタイミングになったと判断されると（ステップＡ２）、モニタセンサ２９における観察対象人物Ｐの行動のモニタ情報（▲１▼ＰＣ動作／▲２▼家電製品からのＢＴ情報／▲３▼カメラ画像）がモニタされて（検知されて）ワークメモリに取得される（ステップＡ３）。
【０１２１】
この取得された観察対象人物Ｐの行動のモニタ情報は、画像配信サーバ１０へ送信される（ステップＡ４）。
【０１２２】
そして、画像配信サーバ１０では、前記モニタ端末２０からモニタ情報が、受信されて取得されメモリのワークエリアに入れられ（ステップＢ３、ステップＢ３′）、図１９における行動情報選択処理に移行され（ステップＡＥ）、観察対象人物Ｐに対するモニタ情報に応じた行動情報の選択処理が実行される。
【０１２３】
図１９は前記画像配信システムの画像配信サーバ１０又はモニタ端末２０（モニタ端末兼表示端末５０ａ，５０ｂ，…，５０ｉ）によってそれぞれ実行される行動情報選択処理を示すフローチャートである。
【０１２４】
すなわち、この行動情報選択処理（ステップＡＥ）が起動されると、まず、“１”〜“１００”の整数値の範囲で乱数が発生され（ステップＥ１）、その乱数値がメモリ２２内に選択設定された正答率（モニタ正確さ）・停止率（さぼり度）２２ｄにおけるさぼり度（％）の範囲内か否か判断される（ステップＥ２）。
【０１２５】
ここで、前記発生乱数値が前記設定停止率（さぼり度）（％）の範囲内ではないと判断されると、さらに、“１”〜“１００”の整数値の範囲で乱数が発生され（ステップＥ３）、その乱数値がメモリ２２内に選択設定されたモニタ正確さ・さぼり度２２ｄにおける正答率（モニタ正確さ）（％）の範囲内か否か判断される（ステップＥ４）。
【０１２６】
ここで、前記発生乱数値が前記正答率（モニタ正確さ）（％）の範囲内であると判断されると、モニタセンサ２９における観察対象人物Ｐの行動のモニタ情報（▲１▼ＰＣ動作／▲２▼家電製品からのＢＴ情報／▲３▼カメラ画像）がワークメモリから読み出される（ステップＥ４→Ｅ５）。
【０１２７】
そして、前記▲３▼カメラ画像によるモニタ情報、または前記▲２▼家電製品からのＢＴ情報によるモニタ情報、または▲１▼ＰＣ動作によるモニタ情報の何れかによる取得の有無が判断され（ステップＥ６〜Ｅ８）、例えば観察対象人物Ｐが在宅社員で配信依頼人（利用者）が該社員の会社である場合に、▲１▼ＰＣ動作によるモニタ情報として“ＰＣキー操作”が取得された場合には、図１１におけるモニタ・行動情報テーブルに基づき対応するキャラクタの行動情報「（Ａ）ＰＣの操作」と決定され、選択される（ステップＥ８→Ｅ９→Ｅ１０）。
【０１２８】
すると、この情報の表示が許可されているか否か判別され（ステップＢ４）、許可されていれば、この選択された画像設定データ２２ｃにて設定されたロボットキャラクタについての、行動情報「（Ａ）ＰＣの操作」に対応する画像Ｏの物真似アニメ画像Ｊ１（例えば図４（Ａ）参照）が選択されアニメ表示データが作成される（ステップＢ５）。さらに広告情報が付加されて画面上で表示出力されるとともに、対応する表示端末（会社ＰＣ）４０へ送信出力され（ステップＢ６〜Ｂ７）、前記在宅社員のデスク上にある表示端末（会社ＰＣ）４０では、受信された前記ＰＣ操作中の［業務中］物真似アニメ画像Ｊ１が、共に受信された広告情報が付加されて表示部３７に表示される（ステップＣ２→Ｃ３）。
【０１２９】
また、例えば観察対象人物Ｐが子供で配信依頼人（利用者）が該子供の親である場合に、▲３▼カメラ画像によるモニタ情報として“本を読んでいるカメラ画像”が取得された場合には、図１１におけるモニタ・行動情報テーブルに基づき対応する行動情報「（Ｈ）勉強中・読書中」と決定され、選択される（ステップＥ６→Ｅ１１→Ｅ１２）。
【０１３０】
すると、この情報の表示が許可されているか否か判別され（ステップＢ４）、許可されていれば、この選択された行動情報「（Ｈ）勉強中・読書中」に対応する画像Ｈの物真似アニメ画像Ｇ３が選択されアニメ表示データが作成される（ステップＢ５）。さらに、広告情報が付加されて画面上で表示出力されるとともに、対応する表示端末（携帯電話）３０へ送信出力され（ステップＢ６〜Ｂ７）、前記親の所有する表示端末（携帯電話）３０では、受信された前記勉強中・読書中の物真似アニメ画像Ｇ３が、共に受信された広告情報「チケットペア」が付加されて表示部３７に表示される（ステップＣ２→Ｃ３）。
【０１３１】
また、例えば観察対象人物ＰがマンションＭ内の住居（Ｈ101）の住人（Ｐ101）で配信依頼人（利用者）が該マンションＭの管理人である場合に、▲２▼家電製品からのＢＴ情報によるモニタ情報として“消費電力最低＝待機電力”が取得された場合には、図１１におけるモニタ・行動情報テーブルに基づき対応するキャラクタの行動情報「（Ｂ）不在」と決定され、画像設定データ２２ｃにて設定された背景画像からなる［外出中］アニメ画像（例えば図７の１０１号室参照）が選択される（ステップＥ７→Ｅ１３→Ｅ１４）。
【０１３２】
すると、この情報の表示が許可されているか否か判別され（ステップＢ４）、許可されていれば、この選択された行動情報［（Ｂ）不在］に対応する画像Ｂの物真似アニメ画像Ｇ３が選択されアニメ表示データが作成される（ステップＢ５）。さらに、広告情報が付加されて画面上で表示出力されるとともに、対応する前記管理人室Ｋの表示端末（自宅ＰＣ）６０へ送信出力され（ステップＢ６〜Ｂ７）、前記管理人室Ｋの表示端末（自宅ＰＣ）６０では、受信された前記［不在］のアニメ画像が、共に受信された広告情報が付加されて表示部３７に表示される（ステップＣ２→Ｃ３）。
【０１３３】
なお、前記画像配信サーバ１０におけるモニタ端末２０（この場合はマンションＭの住居Ｈ101に設置されたモニタ端末兼表示端末５０ａ）からの選択画像設定番号の転送配信に際し、図１５における配信可否設定テーブルにおいて当該住居Ｈ101の住人Ｐ101によって管理人室Ｋの表示端末（自宅ＰＣ）６０に対する配信表示の不可が設定されていた場合には（ステップＢ４）、該管理人室Ｋの表示端末（自宅ＰＣ）６０に対する画像設定番号の配信は行われず、この１０１号室のアニメ画像表示は表示禁止の設定状態になる。
【０１３４】
また、例えば観察対象人物Ｐが在宅社員で配信依頼人（利用者）が該社員の会社である場合に、▲３▼カメラ画像によるモニタ情報として“室内で作業”が取得された場合には、図１１におけるモニタ・行動情報テーブルに基づき対応するキャラクタの行動情報「（Ｄ）休憩／遊び」と決定され、画像設定データ２２ｃにて設定されたロボットキャラクタ及び背景画像からなる［休憩中］物真似アニメ画像Ｊ２（例えば図４（Ｂ）参照）が選択される（ステップＥ８→Ｅ９→Ｅ１０）。
【０１３５】
ここで、前記観察対象人物Ｐのモニタに応じたキャラクタの行動情報として「（Ｄ）休憩／遊び」が選択された場合には、図１４における個人情報・行動情報テーブルに従って、当該観察対象人物Ｐである在宅社員の休憩時間にすることに対応するキャラクタ動作がランダムに選択されるので、例えば音楽を聞く物真似アニメ画像（図４（Ｂ）参照）やその他の設定個人情報に応じた［休憩中］の物真似アニメ画像が一定時間毎にランダム選択される（ステップＥ１５→Ｅ１６）。
【０１３６】
また、例えば観察対象人物Ｐが在宅社員で配信依頼人（利用者）が該社員の会社である場合に、▲１▼ＰＣ動作によるモニタ情報として“２０分間キー操作なし”が取得された場合には、図１１におけるモニタ・行動情報テーブルに基づき対応するキャラクタの行動情報「（Ｘ）予定表」と決定され、本人のスケジュールデータ（予定表）２２ｅに従って画像設定データ２２ｃにて設定されたロボットキャラクタ及び背景画像からなるスケジュール対応の物真似アニメ画像が選択される（ステップＥ８→Ｅ９→Ｅ１０）。
【０１３７】
ここで、前記観察対象人物Ｐのモニタに応じたキャラクタの行動情報として「（Ｘ）予定表」が選択された場合には、図１３における予定表・行動情報テーブルに従って、当該観察対象人物Ｐである在宅社員のスケジュールに対応するキャラクタ行動情報が選択されるので、例えば「出張」予定時間内においては、［不在中］のアニメ画像（図５（Ｂ）参照）が選択される（ステップＥ１７→Ｅ１８，Ｅ１９）。
【０１３８】
一方、前記ステップＥ３，Ｅ４において、発生乱数値がメモリ２２内に選択設定された正答率（正確さ）・停止率（さぼり度）２２ｄにおけるモニタ正確さ（％）の範囲内でないと判断された場合には、前記▲３▼カメラ画像によるモニタ情報、または前記▲２▼家電製品からのＢＴ情報によるモニタ情報、または前記▲１▼ＰＣ動作によるモニタ情報の何れにも関係なく、観察対象人物Ｐについてモニタ正確さのない様々な様子の物真似アニメ画像がランダムに選択される（ステップＥ２３）。
【０１３９】
また、例えば観察対象人物Ｐが子供で配信依頼人（利用者）が該子供の親である場合で、前記ステップＥ１，Ｅ２において、発生乱数値がメモリ２２内に選択設定された正答率（正確さ）・停止率（さぼり度）２２ｄにおける設定さぼり度（％）の範囲内であると判断された場合には、画像設定データ２２ｃにて設定された動物キャラクタ及び背景画像からなる、さぼって真似していないときの物真似アニメ画像Ｇ４（例えば図３（Ａ）参照）が選択される（ステップＥ２２）。
【０１４０】
また、前記モニタ端末２０（モニタ端末兼表示端末５０ａ，５０ｂ，…，５０ｉ）でのモニタ情報は画像配信サーバ１０に送信されるとともに、モニタ端末２０自身でも、このモニタ情報に従って、行動情報選択処理ＡＥが実行され、行動情報が決定される。そして、行動情報に応じたアニメ画像が画像設定データ２２ｃに従い作成され、表示部２７に対し広告情報が付加されてモニタ端末２０自身においても、サブウインドウ表示される（ステップＡ５）。
【０１４１】
また、画像配信サーバ１０では、前記モニタ端末２０から受信されたモニタ情報が、配信依頼者（利用者）について表示許可されているか否か、図１５における配信可否テーブルに従い判断された後、表示許可されている場合に、モニタ情報に対応する行動情報に対するアニメ画像を当該配信依頼者（利用者）に対応する表示端末（携帯電話３０／会社ＰＣ４０／自宅ＰＣ６０）へ、広告情報が付加されて送信される（ステップＢ３〜Ｂ７）。
【０１４２】
すると、メモリ１２内に記憶された利用者課金情報１２ｆに従い利用者の銀行サーバ７０へアクセスされて利用料金が課金処理されると共に（ステップＢ８）、同メモリ１２内に記憶された広告先課金情報１２ｊに従い広告主の銀行サーバ８０へアクセスされて広告料金が課金処理される（ステップＢ９）。
【０１４３】
これにより、表示端末（携帯電話３０／会社ＰＣ４０／自宅ＰＣ６０）では、前記画像配信サーバ１０から受信された画像設定番号に対応した物真似アニメ画像が画像設定データ３２ｇに従い作成され、共に受信された広告情報が付加されて表示部３７に表示される（ステップＣ２→Ｃ３）。
【０１４４】
ここで、例えば前記モニタ端末２０から画像配信サーバ１０を経由して、さぼって真似していないときの物真似アニメ画像Ｇ４（例えば図３（Ａ）参照）が表示端末（携帯電話）３０に配信されて表示された場合に、当該物真似アニメ画像Ｇ４上の動物キャラクタをクリックして注意の指示をすると、当該注意情報が対応するモニタ端末２０へ送信される（ステップＣ４→Ｃ５）。
【０１４５】
そして、モニタ端末２０において、前記対応する表示端末（携帯電話）３０から送信された注意情報が受信されると、再び前記図１９における行動情報選択処理が起動される（ステップＡ６→Ａ３，Ａ４，ＡＥ）。
【０１４６】
ここで、▲１▼ＰＣ動作によるモニタ情報として“表示端末から注意あり”が取得された場合には、図１１におけるモニタ・行動情報テーブルに基づき対応するキャラクタの行動情報「（Ｚ）寝ていれば起きる」と決定され、図３（Ｂ）に示すように、さぼって寝ころんでいる動物キャラクタが注意に気づいた様子のアニメ画像Ｇ５が選択配信される（ステップＥ８→Ｅ９→Ｅ１０）。
【０１４７】
そして、図１１におけるモニタ・行動情報テーブルに基づく行動情報「（Ｚ）寝ていれば起きる」の追加処理として、一定時間の間、正答率（モニタの正確さ）・停止率（さぼり度）２２ｄにおける正答率が１００％、停止率（さぼり度）が０％に強制設定され、前記▲３▼カメラ画像によるモニタ情報、または前記▲２▼家電製品からのＢＴ情報によるモニタ情報、または前記▲１▼ＰＣ動作によるモニタ情報による各モニタに正確に対応した物真似アニメ画像が選択配信される（ステップＥ２０→Ｅ２１）。
【０１４８】
また、例えば表示端末（携帯電話）３０において、対応するモニタ端末２０へメールを送信した場合（ステップＣ６→Ｃ７）、メールを受信したモニタ端末２０では、▲１▼ＰＣ動作によるモニタ情報として“新規メール受信”が取得されるので、図１１におけるモニタ・行動情報テーブルに基づき対応するキャラクタの行動情報「（Ｙ）メールを運ぶ」と決定され、図３（Ｄ）に示すように、動物キャラクタが自室内でメールを運んでいる様子のアニメ画像Ｇ７が選択配信される（ステップＥ８→Ｅ９→Ｅ１０）。
【０１４９】
したがって、前記構成の画像配信システムによる観察対象人物Ｐのモニタに応じた物真似画像の配信機能によれば、観察対象人物Ｐの自室（Ｈ）に設置されたパーソナルコンピュータをモニタ端末（自宅ＰＣ）２０（５０ａ，５０ｂ，…）として機能させ、カメラ画像や家電製品からのＢＴ(Bluetooth)情報そしてＰＣモニタ情報により前記観察対象人物Ｐの行動がモニタされて画像配信サーバ１０へ送信される。そして画像配信サーバ１０では、モニタ情報を受信して取得すると対応する行動情報を選択して読み出し、この行動情報に応じた物真似をする動物・ロボットなどのキャラクタ及び背景画像からなる物真似アニメ画像が選択作成されて、配信依頼者（利用者）の表示端末（携帯電話３０／会社ＰＣ４０／自宅ＰＣ６０）に対して前記物真似アニメ画像が配信されて表示されるので、観察対象人物Ｐそのもののリアルなカメラ画像が配信されることなく、観察によるプレッシャーを緩和することができ、しかも、配信依頼者（利用者）側では観察対象人物Ｐの行動を必要十分に把握できるようになる。
【０１５０】
また、前記構成の画像配信システムによる観察対象人物Ｐのモニタに応じた物真似画像の配信機能によれば、物真似アニメ画像を構成するキャラクタや背景画像は観察対象人物Ｐ自身により任意に選択設定され、しかもモニタに応じた物真似アニメ画像はそのモニタ端末（自宅ＰＣ）２０（５０ａ，５０ｂ，…）側でもサブウインドウ表示により確認できるばかりか、モニタ処理の正確さ（５０％〜１００％）や物真似をさぼっているアニメ画像を配信する割合の物真似さぼり度（９０％〜０％）も同観察対象人物Ｐ自身によって選択設定されるので、観察対象の状況を必要な程度で配信しつつも、観察によるプレッシャーをより緩和することができる。
【０１５１】
なお、図１６の実施形態では、モニタ端末（自宅ＰＣ）２０（５０ａ，５０ｂ，…）によるモニタ情報が、画像配信サーバ１０へ送信され、画像配信サーバ１０においてモニタ情報に応じて選択された行動情報に応じた物真似アニメ画像は、さらに広告が付加されて表示端末（携帯電話３０／会社ＰＣ４０／自宅ＰＣ６０）へ配信されて表示出力されるのと共に、画像配信サーバ１０において、配信依頼者（利用者）と広告主に対する課金処理が行われる構成としたが、この画像配信サーバ１０における広告の付加と課金処理を行わない場合には、前記モニタ端末２０（５０ａ，５０ｂ，…）から表示端末（携帯電話３０／会社ＰＣ４０／自宅ＰＣ６０）に対し直接に物真似アニメ画像の配信を行う構成としてもよい。
【０１５２】
また、モニタ端末（自宅ＰＣ）２０（５０ａ，５０ｂ，…）によるモニタに応じてモニタ端末２０で行動情報を選択して、表示端末に送信し、表示端末で行動情報に対応した物真似アニメ画像を作成して表示出力する構成としてもよい。
【０１５３】
また、モニタ端末（自宅ＰＣ）２０（５０ａ，５０ｂ，…）によるモニタに応じてモニタ端末２０で行動情報を選択して、画像配信サーバ１０へ送信するようにしてもよい。
【０１５４】
図１７は、前記画像配信システムによる画像配信機能の全体処理を示すフローチャートであり、同図（Ａ）はモニタ端末２０（モニタ端末兼表示端末５０ａ，５０ｂ，…，５０ｉ）での処理を示すフローチャート、同図（Ｂ）は画像配信サーバ１０での処理を示すフローチャート、同図（Ｃ）は表示端末（携帯電話３０／会社ＰＣ４０／自宅ＰＣ６０）での処理を示すフローチャートである。
【０１５５】
以下、図１６と異なる部分を中心に説明する。
【０１５６】
モニタ端末２０（モニタ端末兼表示端末５０ａ，５０ｂ，…，５０ｉ）において、時計部２８による計時信号に基づき、例えば１０分間隔に設定されたモニタタイミングになったと判断されると（ステップＡ２０）、モニタセンサ２９における観察対象人物Ｐの行動のモニタ情報（▲１▼ＰＣ動作／▲２▼家電製品からのＢＴ情報／▲３▼カメラ画像）がモニタされて（検知されて）ワークメモリに取得される（ステップＡ３０）。
【０１５７】
そして、図１９における行動情報選択処理に移行され（ステップＡＥ）、観察対象人物Ｐに対するモニタに応じた行動情報の選択処理が実行される。図１９の前記画像配信システムのモニタ端末２０（モニタ端末兼表示端末５０ａ，５０ｂ，…，５０ｉ）による行動情報選択処理において、例えば観察対象人物Ｐが在宅社員で配信依頼人（利用者）が該社員の会社である場合に、▲１▼ＰＣ動作によるモニタ情報として“ＰＣキー操作”が取得された場合には、図１１におけるモニタ・行動テーブルに基づき対応するキャラクタの行動情報「（Ａ）ＰＣの操作」と決定され、選択される（ステップＥ８→Ｅ９→Ｅ１０）。
【０１５８】
すると、この選択された行動情報「（Ａ）ＰＣの操作」番号が画像配信サーバ１０へ送信され（ステップＡ４０）、画像配信サーバ１０では、画像設定データ１２ｇにて設定されたロボットキャラクタについての、行動情報「（Ａ）ＰＣの操作」に対応する画像Ｏの物真似アニメ画像Ｊ１（例えば図４（Ａ）参照）が選択される。さらに対応する表示端末（会社ＰＣ）４０へ広告情報が付加されて送信されることで（ステップＢ３０〜Ｂ６０）、前記在宅社員のデスク上にある表示端末（会社ＰＣ）４０では、受信された画像設定番号に対応した前記ＰＣ操作中の［業務中］物真似アニメ画像Ｊ１が共に受信された広告情報が付加されて表示部３７に表示される（ステップＣ２０→Ｃ３０）。
【０１５９】
このように、モニタ端末で検知されたモニタ情報はモニタ端末において行動情報に変換して、画像配信サーバ１０に送信される。このように、生のモニタ情報が送信されないので、観察される側のストレスをさらに小さくできる。
【０１６０】
また、モニタ端末においてモニタの正確さ（正答率：５０％〜１００％）及び物真似さぼり度（停止率９０％〜０％）が任意に設定されるので、モニタ端末側で、所望の正確さや停止率で行動情報を送信でき、観察されるというストレスを非常に小さくできる。
【０１６１】
上記のように、本発明に係る画像出力装置１０/２０/３０/４０/５０/６０は、観察対象をモニタしたモニタ情報が取得されると、この取得された観察対象のモニタ情報に対応する行動情報が出力され、行動情報に対応する画像が出力されるので、観察対象のそのものの行動画像ではない模倣画像等が観察する側に配信されるようになる。
【０１６２】
このモニタ情報としては、▲１▼観察対象について配置された所定の電子機器の動作状況に関するモニタ情報（たとえば、観察対象の自宅ＰＣのＯＮ状態や操作の検知情報）▲２▼観察対象について使用される複数の家電製品からのモニタ情報（例えば、観察対象の部屋のパソコンや床マットやドアホンや調理器具等の各家電製品からの無線通信による動作情報）▲３▼観察対象について撮影された撮影画像に応じて選択されたモニタ情報（例えば観察対象の部屋に設置されたテレビカメラの撮影情報から観察対象の動作として選択されたモニタ情報）など、種々のモニタ情報を利用することができる。すなわち、観察対象について利用可能な電子機器やモニタしたい正確さに応じて種々のモニタ情報を利用することができる。
【０１６３】
また、これら種々のモニタ情報を複数種類組み合わせてより正確に行動を検知して、対応画像を出力することができる。
【０１６４】
さて、「▲３▼撮影画像に応じたモニタ情報」を利用する場合には撮影画像を解析等することによって、決定されたモニタ情報（例えば読書中、食事中等）を利用するが、このモニタ情報の検知には種々の方法が利用できる。以下に、カメラの撮影画像からモニタ情報を決定する方法の１つを示す。
【０１６５】
図２０は、カメラの撮影画像からモニタ情報を決定する「カメラによるモニタ処理」を示すフローチャートである。
【０１６６】
図２１は、カメラ撮影画像から、変化部分を観察対象として抽出する例を示す図である。
【０１６７】
例えば部屋の天井に設置された行動検知センサ２９であるテレビカメラと接続されたＰＣ本体によるモニタ端末が構成されており、ＰＣ本体はメモリに記憶された「カメラによるモニタ処理」プログラムに従って、このテレビカメラで撮影された撮影画像からモニタ情報を決定して、このモニタ情報を画像出力装置に送信する。
【０１６８】
図２０において、テレビカメラで順次撮影された複数の撮影画像がＰＣ本体に取得されると（ステップＦ１）、その複数の画像のうち変化している部分を矩形の画像として抽出する。変化している部分が複数ある場合は複数の矩形の画像を抽出する（ステップＦ２）。図２１は、テレビカメラで順次撮影された複数の撮影画像（Ａ）、（Ｂ）に対して３つの変化部分をそれぞれ画像（Ｃ）、画像（Ｄ）、画像（Ｅ）のように抽出した例を示している。
【０１６９】
次に最初の変化部分の画像を１つめの変化部分の画像（例えば画像（Ｃ））として指定する（ステップＦ３）。そしてその画像サイズが、予め規定された人のサイズの画像であるか否かが判断され（ステップＦ４）、人のサイズである場合は（ステップＦ４；Ｙｅｓ）、さらに、観察対象である本人の特徴（例えば、髪型、目鼻の配置、顔の輪郭等）があるか否かが判断される（ステップＦ５）。
【０１７０】
本人であると判断されると（ステップＦ５；Ｙｅｓ）本人と認定され（ステップＦ６）、元の画像におけるこの画像がＰＣ画像と接触しているか否かが判断される。すなわち、この変化部分の画像に接して、ＰＣの特徴（キーボード又はディスプレイ）が存在するか否かが判断される（ステップＦ７）。ＰＣ画像と接触していると判断されると（ステップＦ７；Ｙｅｓ）、モニタ情報として、「ＰＣ操作」と決定される（ステップＦ８）。
【０１７１】
また、ＰＣ画像と接触していないと判断されると（ステップＦ７；Ｎｏ）、元の画像におけるこの画像が書籍画像と接触しているか否かが判断される。すなわち、この変化部分の画像に接して、書籍の特徴（四角の形状、文字の整列）が存在するか否かが判断される（ステップＦ９）。書籍画像と接触していると判断されると（ステップＦ９；Ｙｅｓ）、モニタ情報として、「読書中」と決定される（ステップＦ１０）。
【０１７２】
また、書籍画像と接触していないと判断されると（ステップＦ９；Ｎｏ）、元の画像におけるこの画像が食品画像と接触しているか否かが判断される。すなわち、この変化部分の画像に接して、食品の特徴（ラーメンのどんぶり形状、種々のパンの形状、フォークやナイフの形状、器の形状等）が存在するか否かが判断される（ステップＦ１１）。食品画像と接触していると判断されると（ステップＦ１１；Ｙｅｓ）、モニタ情報として、「食事中」と決定される（ステップＦ１２）。
【０１７３】
また、食品画像と接触していないと判断されると（ステップＦ１１；Ｎｏ）、移動中であるか否かが判断される（ステップＦ１３）。移動中であると判断されると、モニタ情報として、「移動中」と決定される（ステップＦ１４）。
【０１７４】
また、移動中でないと判断されるとモニタ情報として、「室内で作業」と決定される（ステップＦ１５）。
【０１７５】
またステップＦ５において、本人の特徴ありと判断されなかった場合は（ステップＦ５；Ｎｏ）、他人と認定され（ステップＦ１６）、その画像が退出中の画像であるか否かが検知される。すなわち、人がドアを開けて出る画像の特徴を有するか否かが検知される（ステップＦ１７）。退出画像であると検知された場合は（ステップＦ１７；Ｙｅｓ）、モニタ情報として「他人の在室」と決定され（ステップＦ１９）、退出画像でないと検知された場合は（ステップＦ１７；Ｎｏ）、モニタ情報として「他人の退出」と決定される。
【０１７６】
ステップＦ４において、人のサイズと同じでないと判断されると（ステップＦ４；Ｎｏ）、人のサイズより小さいか否かが判断される（ステップＦ２０）。ここで人のサイズより小さいと判断されない場合は、人より大き移動画像であり、画面全体が揺れた場合等が想定され、エラー処理に進む。
【０１７７】
ステップＦ２０において、人のサイズより小さいと判断されると（ステップＦ２０；Ｙｅｓ）、小物体（ペット・動くおもちゃ等）であると判断され、観察対象と異なるため、モニタ情報の決定は行われない（ステップＦ２１）。
【０１７８】
次に他に変化部分の画像がある場合は（ステップＦ２２；Ｙｅｓ）、次の変化部分の画像を指定（ステップＦ２３）してステップＦ４に戻る。他に変化部分の画像がない場合は、これまでの処理で本人と認定される画像が有ったか否かが判断される（ステップＦ２４）。
【０１７９】
本人が認定されなかった場合は、本人不在が記憶され（ステップＦ２４→Ｆ２５）、この本人不在が所定時間継続する場合は、モニタ情報として「一定時間本人が見えない」が決定される。そして、本処理が終了する。
【０１８０】
このようにして、モニタ端末で、撮影画像からモニタ情報を決定して、このモニタ情報を画像出力装置に送信する。なお、この実施例では、モニタ端末で撮影画像からモニタ情報を決定するようにしたが、モニタ端末では、撮影画像そのものをモニタ情報として画像出力装置に送信して、画像出力装置で、モニタ情報である画像そのものから、行動情報を直接決定するようにしてもよい。その処理は、ほぼ上記処理と同様にして行われる。
【０１８１】
また、画像出力装置において、画像そのものから直接対応する行動画像データを決定して合成出力するようにしてもよい。
【０１８２】
また、撮影される画像は、動画であっても、静止画であってもよい。
【０１８３】
なお、上記実施例においては、人についての物真似画像を表示する例で説明したが、動物や植物の状態をモニタして対応する物真似画像等を表示するようにしてもよい。例えば花がしおれかかっている状態をカメラでモニタして、対応する疲れた花の妖精の動画を表示するようにしてもよい。また動植物に限らず、環境状態をモニタして対応する画像を表示するようにしても良い。例えば、大気汚染度を検知するためのＣＯ２濃度や窒素酸化物濃度をセンサでモニタしてそのモニタ情報から仮想的なペットの行動情報を選択してそのペット画像を表示するようにしてもよい。例えば、汚染濃度が低いとモニタされると、ペットが元気に遊び回っているアニメ画像を表示するようにしても良い。
【０１８４】
また、前記実施形態では、モニタ端末（自宅ＰＣ）２０（５０ａ，５０ｂ，…）においてモニタに応じた物真似アニメ画像の選択を行い、画像配信サーバ１０へ送信、また画像配信サーバ１０から表示端末（携帯電話３０／会社ＰＣ４０／自宅ＰＣ６０）へ配信する構成としたが、セキュリティ機能さえ十分に確保できれば、前記モニタ端末（自宅ＰＣ）２０（５０ａ，５０ｂ，…）からはそのモニタ情報のみを送信し、表示端末（携帯電話３０／会社ＰＣ４０／自宅ＰＣ６０）において、受信されたモニタ情報に応じた物真似アニメ画像の選択を行い表示する構成としてもよい。
【０１８５】
また、本発明の画像出力装置は、単体の装置に組み込んで実施することもできる。例えば、ビデオカメラやビデオ再生装置、携帯電話やゲーム機に組み込んで実施することができる。
【０１８６】
なお、前記実施形態において記載した画像配信システムによる物真似画像配信処理の手法、すなわち、図１６（Ａ）［図１７（Ａ）］のフローチャートに示すモニタ端末２０（モニタ端末兼表示端末５０ａ，５０ｂ，…，５０ｉ）での処理、図１６（Ｂ）［図１７（Ｂ）］のフローチャートに示す画像配信サーバ１０での処理、図１６（Ｃ）［図１７（Ｃ）］に示す表示端末（携帯電話３０／会社ＰＣ４０／自宅ＰＣ６０）での処理、図１８のフローチャートに示す前記モニタ端末２０（モニタ端末兼表示端末５０ａ，５０ｂ，…，５０ｉ）での初期設定処理、図１９のフローチャートに示す前記モニタ端末２０（モニタ端末兼表示端末５０ａ，５０ｂ，…，５０ｉ）での行動情報選択処理、図２０のフローチャートに示すカメラ撮影画像からモニタ情報を決定するための「カメラによるモニタ処理」等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３，２３，３３に格納して配布することができる。そして、通信ネットワークＮとの接続機能を有するサーバコンピュータやモニタ用コンピュータ、そして表示端末コンピュータは、この外部記録媒体１３，２３，３３に記憶されたプログラムを各記録媒体読取部１４，２４，３４によってメモリ１２，２２，３２に読み込み、この読み込んだプログラムによって動作が制御されることにより、前記実施形態において説明した観察対象人物Ｐのモニタに応じた物真似画像の配信機能を実現し、前述した手法による同様の処理を実行することができる。
【０１８７】
また、前記各手法を実現するためのプログラムのデータは、プログラムコードの形態として通信ネットワーク（Ｎ）上を伝送させることができ、この通信ネットワーク（Ｎ）に接続されたコンピュータ端末から前記のプログラムデータを取り込み、前述した観察対象人物Ｐのモニタに応じた物真似画像の配信機能を実現することもできる。
【０１８８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１８９】
【発明の効果】
以上のように、本発明に係る画像出力装置によれば、観察対象人物をモニタしたモニタ情報が取得されると、この取得された観察対象人物のモニタ情報に対応する行動情報が出力され、行動情報に対応する画像が出力されるので、観察対象のそのものの行動画像ではない模倣画像等が観察する側に配信されるようになる。しかも観察対象人物のモニタ情報が所定のモニタ情報（例えば一定時間本人が見えない）である場合には、前記観察対象人物の予定情報とこれに対応する行動情報とを対応づけて複数組記憶している予定行動情報記憶手段から当該観察対象人物の予定情報（例えば出張）に対応する行動情報（例えば不在）が読み出されて出力され、対応する画像（例えば［不在中］の画像）が出力される。
【０１９０】
よって、観察される側にとってプレッシャーになることになく、対象人物の状況を必要十分に把握することが可能になる。
【図面の簡単な説明】
【図１】本発明の実施形態に係る画像配信システムの全体の構成を示すブロック図。
【図２】前記画像配信システムにおいて配信依頼者（利用者）とその観察対象人物Ｐが例えば親と子の関係である場合の各物真似アニメ画像（その１）、及びモニタ情報である元のカメラ撮影画像を示す図。
【図３】前記画像配信システムにおいて配信依頼者（利用者）とその観察対象人物Ｐが例えば親と子の関係である場合の各物真似アニメ画像（その２）を示す図。
【図４】前記画像配信システムにおいて配信依頼者（利用者）とその観察対象人物Ｐが例えば在宅勤務制度のある会社と在宅社員との関係である場合の各物真似アニメ画像（その１）を示す図。
【図５】前記画像配信システムにおいて配信依頼者（利用者）とその観察対象人物Ｐが例えば在宅勤務制度のある会社と在宅社員との関係である場合の各物真似アニメ画像（その２）を示す図。
【図６】前記画像配信システムのマンションＭ内各住居１０１，１０２，…，３０３にあるモニタ端末兼表示端末（自宅ＰＣ）５０ａ，５０ｂ，…，５０ｉによる住人モニタのしくみを示す図。
【図７】前記画像配信システムにおいて配信依頼者（利用者）とその観察対象人物Ｐが例えばマンションＭ内の管理人と住人Ｐ101-Ｐ303との関係である場合の各住居対応の物真似アニメ画像を示す図。
【図８】前記画像配信システムにおける画像配信サーバ１０の電子回路の構成を示すブロック図。
【図９】前記画像配信システムにおける表示端末（携帯電話３０／会社ＰＣ４０／自宅ＰＣ６０）の電子回路の構成を示すブロック図。
【図１０】前記画像配信システムにおけるモニタ端末（自宅ＰＣ）２０の電子回路の構成を示すブロック図。
【図１１】前記画像配信システムのモニタ端末（自宅ＰＣ）２０やモニタ端末兼表示端末５０ａ，５０ｂ，…，５０ｉにおける画像配信処理プログラム（モニタ端末用）２２ａに組み込まれたモニタ内容と物真似動作を対応付けするためのモニタ・行動情報テーブルを示す図。
【図１２】前記図１１における物真似の行動情報についての各行動画像データを示す図である。
【図１３】前記画像配信システムのモニタ端末（自宅ＰＣ）２０やモニタ端末兼表示端末５０ａ，５０ｂ，…，５０ｉにおける画像配信処理プログラム（モニタ端末用）２２ａに組み込まれた行動予定内容と物真似動作を対応付けするための予定表・行動情報テーブルを示す図。
【図１４】前記画像配信システムのモニタ端末（自宅ＰＣ）２０やモニタ端末兼表示端末５０ａ，５０ｂ，…，５０ｉにおける画像配信処理プログラム（モニタ端末用）２２ａに組み込まれた個人情報・行動情報テーブルを示す図。
【図１５】前記画像配信システムの画像配信サーバ１０における画像配信処理プログラム１２ａに対応付けられて用意される配信可否設定テーブルを示す図。
【図１６】前記画像配信システムによる画像配信機能の全体処理を示すフローチャート（Ｉ）であり、同図（Ａ）はモニタ端末２０（モニタ端末兼表示端末５０ａ，５０ｂ，…，５０ｉ）での処理を示すフローチャート、同図（Ｂ）は画像配信サーバ１０での処理を示すフローチャート、同図（Ｃ）は表示端末（携帯電話３０／会社ＰＣ４０／自宅ＰＣ６０）での処理を示すフローチャート。
【図１７】前記画像配信システムによる画像配信機能の全体処理を示すフローチャート（II）であり、同図（Ａ）はモニタ端末２０（モニタ端末兼表示端末５０ａ，５０ｂ，…，５０ｉ）での処理を示すフローチャート、同図（Ｂ）は画像配信サーバ１０での処理を示すフローチャート、同図（Ｃ）は表示端末（携帯電話３０／会社ＰＣ４０／自宅ＰＣ６０）での処理を示すフローチャート。
【図１８】前記画像配信システムのモニタ端末２０（モニタ端末兼表示端末５０ａ，５０ｂ，…，５０ｉ）による初期設定処理を示すフローチャート。
【図１９】前記画像配信システムのモニタ端末２０（モニタ端末兼表示端末５０ａ，５０ｂ，…，５０ｉ）による行動情報選択処理を示すフローチャート。
【図２０】カメラの撮影画像からモニタ情報を決定する「カメラによるモニタ処理」を示すフローチャート。
【図２１】カメラ撮影画像から、変化部分を観察対象として抽出する例を示す図。
【符号の説明】
Ｎ  …通信ネットワーク
Ｐ  …観察対象人物
Ｈ  …自宅（自室）
Ｍ  …マンション
Ｋ  …管理人室
１０  …画像配信サーバ
２０  …モニタ端末（カメラ付き自宅ＰＣ）
３０  …表示端末（携帯電話）
４０  …表示端末（会社ＰＣ）
５０ａ，５０ｂ，…モニタ端末兼表示端末（自宅ＰＣ）
６０  …表示端末（自宅ＰＣ）
７０  …利用者の銀行サーバ
８０  …広告主の銀行サーバ
Ｇ１  …動いているときの物真似アニメ画像
Ｇ２  …止まって何かしているときの物真似アニメ画像
Ｇ３  …机に向かっているときの物真似アニメ画像
Ｇ４  …さぼって真似をしていないときのアニメ画像
Ｇ５  …注意に気づいた様子のアニメ画像
Ｇ６  …「外出中」メッセージが付加されたアニメ画像
Ｇ７  …メールを運んでいる様子のアニメ画像
Ｊ１  …［業務中］物真似アニメ画像
Ｊ２  …［休憩中］アニメ画像
Ｊ３  …物真似をさぼっている様子のアニメ画像
Ｊ４  …［外出中］アニメ画像
１１、２１、３１…ＣＰＵ
１２、２２、３２…メモリ
１２ａ…画像配信プログラム
２２ａ…画像配信プログラム（モニタ端末用）
３２ａ…画像配信プログラム（表示端末用）
１２ｂ…メール配信プログラム
２２ｂ、３２ｂ…メールプログラム
１２ｃ、３２ｃ…利用者別データメモリ
１２ｄ、３２ｄ…利用者ＩＤ
１２ｅ、３２ｅ…モニタ端末アドレス
１２ｆ、３２ｆ…利用者課金情報
１２ｇ、２２ｃ、３２ｇ…画像設定データ
１２ｈ、２２ｆ、３２ｈ…個人情報データ・対応キャラ選択データ
１２ｉ、３２ｉ…広告情報
１２ｊ、３２ｊ…広告先課金情報
１２ｋ、２２ｄ、３２ｋ…正答率（モニタの正確さ）・停止率（さぼり度）
１２ｌ、２２ｅ…スケジュールデータ（予定表）
１２ｍ、２２ｇ…モニタ・行動情報テーブル
１２ｎ、２２ｈ…個人情報・行動情報テーブル
１２ｏ、２２ｉ…予定表・行動情報テーブル
１２ｐ、２２ｊ…行動画像データ
１３、２３、３３…外部記録媒体
１４、２４、３４…記録媒体読取部
１５、２５、３５…電送制御部
１６、２６、３６…入力部
１７、２７、３７…表示部
１８、２８、３８…時計部
２９  …モニタセンサ
２９ａ…カメラ
２９ｂ…ポット
２９ｃ…エアコン
２９ｄ…ＴＶ
２９ｅ…ビデオ
２９ｆ…ＴＶドアホン
２９ｇ…照明
２９ｈ…電気・ガス・水道メータ
２９ｉ…圧力センサ付き座布団
【図１】
0003918530.tif 000002
【図２】
0003918530.tif 000003
【図３】
0003918530.tif 000004
【図４】
0003918530.tif 000005
【図５】
0003918530.tif 000006
【図６】
0003918530.tif 000007
【図７】
0003918530.tif 000008
【図８】
0003918530.tif 000009
【図９】
0003918530.tif 000010
【図１０】
0003918530.tif 000011
【図１１】
0003918530.tif 000012
【図１２】
0003918530.tif 000013
【図１３】
0003918530.tif 000014
【図１４】
0003918530.tif 000015
【図１５】
0003918530.tif 000016
【図１６】
0003918530.tif 000017
【図１７】
0003918530.tif 000018
【図１８】
0003918530.tif 000019
【図１９】
0003918530.tif 000020
【図２０】
0003918530.tif 000021
【図２１】
0003918530.tif 000022